(57)【特許請求の範囲】
【請求項１】
ディスクカートリッジにおいて、
上シェル、中シェル及び下シェルを重ね合わせることによって上シェル及び中シェル間又は中シェル及び下シェル間にディスク収納室が形成され、上記中シェルが上記上シェル及び上記下シェルの少なくとも一方によって回転自在に支持されると共に、上記上シェル及び上記下シェルの少なくとも一方又は上記上シェル及び上記下シェルの少なくとも一方と上記中シェルとに開口部が設けられたカートリッジ筐体と、
上記カートリッジ筐体に設けられ、上記中シェルの回転に応じて上記開口部を開く開位置と当該開口部を閉じる閉位置との間に移動可能とされたシャッタ部材と、
上記シャッタ部材を上記閉位置において上記中シェルをロックすることにより閉じた状態に保持するシャッタ固定手段と、を備え、
上記シャッタ固定手段により上記開位置において上記シャッタ部材を開いた状態に保持するようにした
ことを特徴とするディスクカートリッジ。
【請求項２】
上記シャッタ固定手段は、上記上シェル及び上記下シェルの少なくとも一方に回動自在に支持されると共に、上記開位置及び上記閉位置の両位置において上記中シェルに係合して当該中シェルをロックするロック部材である
ことを特徴とする請求項１記載のディスクカートリッジ。
【請求項３】
上記ロック部材は、上記中シェルに着脱可能に係合されるロック爪と、上記ロック爪を上記中シェル側に付勢する弾性片と、外力の作用により上記弾性片のバネ力に抗して上記ロック爪による上記中シェルのロックを解除する入力部と、を有する
ことを特徴とする請求項２記載のディスクカートリッジ。
【請求項４】
上記ロック部材の上記入力部の上記外力が作用する方向の長さは、上記中シェルを回転させるため当該中シェルに設けられたギア部の歯先間距離よりも長く設定した
ことを特徴とする請求項３記載のディスクカートリッジ。
【請求項５】
上記中シェルは、上記開位置及び上記閉位置の両位置においてロック爪にそれぞれ係合される第１の係合部及び第２の係合部を有する
ことを特徴とする請求項１記載のディスクカートリッジ。
【請求項６】
上記シャッタ部材は、略半円形とされた２枚の板体からなり、当該２枚で一対のシャッタ部材が上記開口部を有する上記中シェル、上記上シェル及び上記下シェルの少なくとも一面側に当該開口部を挟んで対向するように配置されている
ことを特徴とする請求項１記載のディスクカートリッジ。
【請求項７】
上記一対のシャッタ部材は、上記上シェル及び上記下シェルの少なくとも一方に対して、それぞれのシャッタ部材に対応する支点を中心として回動自在に支持されている
ことを特徴とする請求項６記載のディスクカートリッジ。
【請求項８】
上記一対のシャッタ部材は、上記中シェルに対して、それぞれのシャッタ部材に対応する支点を中心として回動自在に支持されていると共に、上記上シェル及び上記下シェルの少なくとも一方に対して、それぞれのシャッタ部材に対応する支点によって摺動自在に支持されている
ことを特徴とする請求項６記載のディスクカートリッジ。
【請求項９】
ディスク記録媒体装置において、
上シェル、中シェル及び下シェルを重ね合わせることによって上シェル及び中シェル間又は中シェル及び下シェル間にディスク収納室が形成され、上記中シェルが上記上シェル及び上記下シェルの少なくとも一方によって回転自在に支持されると共に、上記上シェル及び上記下シェルの少なくとも一方又は上記上シェル及び上記下シェルの少なくとも一方と上記中シェルとに開口部が設けられたカートリッジ筐体と、
上記ディスク収納室内に回転自在に収納されたディスク状記録媒体と、
上記カートリッジ筐体に設けられ、上記中シェルの回転に応じて上記開口部を開く開位置と当該開口部を閉じる閉位置との間に移動可能とされたシャッタ部材と、
上記シャッタ部材を上記閉位置において上記中シェルをロックすることにより閉じた状態に保持するシャッタ固定手段と、を備え、
上記シャッタ固定手段により上記開位置において上記シャッタ部材を開いた状態に保持するようにした
ことを特徴とするディスク記録媒体装置。
【請求項１０】
上記シャッタ固定手段は、上記上シェル及び上記下シェルの少なくとも一方に回動自在に支持されると共に、上記開位置及び上記閉位置の両位置において上記中シェルに係合して当該中シェルをロックするロック部材である
ことを特徴とする請求項９記載のディスク記録媒体装置。
【請求項１１】
上記ロック部材は、上記中シェルに着脱可能に係合されるロック爪と、上記ロック爪を上記中シェル側に付勢する弾性片と、外力の作用により上記弾性片のバネ力に抗して上記ロック爪による上記中シェルのロックを解除する入力部と、を有する
ことを特徴とする請求項１０記載のディスク記録媒体装置。
【請求項１２】
上記ロック部材の上記入力部の上記外力が作用する方向の長さは、上記中シェルを回転させるため当該中シェルに設けられたギア部の歯先間距離よりも長く設定した
ことを特徴とする請求項１１記載のディスク記録媒体装置。
【請求項１３】
上記中シェルは、上記開位置及び上記閉位置の両位置においてロック爪にそれぞれ係合される第１の係合部及び第２の係合部を有する
ことを特徴とする請求項９記載のディスク記録媒体装置。
【請求項１４】
上記シャッタ部材は、略半円形とされた２枚の板体からなり、当該２枚で一対のシャッタ部材が上記開口部を有する上記中シェル、上記上シェル及び上記下シェルの少なくとも一面側に当該開口部を挟んで対向するように配置されている
ことを特徴とする請求項９記載のディスク記録媒体装置。
【請求項１５】
上記一対のシャッタ部材は、上記上シェル及び上記下シェルの少なくとも一方に対して、それぞれのシャッタ部材に対応する支点を中心として回動自在に支持されている
ことを特徴とする請求項１４記載のディスク記録媒体装置。
【請求項１６】
上記一対のシャッタ部材は、上記中シェルに対して、それぞれのシャッタ部材に対応する支点を中心として回動自在に支持されていると共に、上記上シェル及び上記下シェルの少なくとも一方に対して、それぞれのシャッタ部材に対応する支点によって摺動自在に支持されている
ことを特徴とする請求項１４記載のディスク記録媒体装置。
【請求項１７】
ディスク記録再生装置において、
ディスク状記録媒体が回転自在に収納されたディスク収納室を有するカートリッジ筐体と、当該カートリッジ筐体に設けた開口部を開閉可能なシャッタ部材と、当該シャッタ部材を上記開口部を閉じた状態に保持可能なシャッタ固定手段と、を設けたディスク記録媒体装置と、
上記ディスク記録媒体装置の挿脱動作に応じて上記シャッタ部材を移動させて上記開口部を開閉させるシャッタ開閉手段と、
上記ディスク記録媒体装置が着脱可能に装着されると共に、当該ディスク記録媒体装置の装着時、上記シャッタ開閉手段で開放された上記開口部から挿入されて上記ディスク状記録媒体をチャッキングして回転駆動するディスクドライブ装置と、を備え、
上記カートリッジ筐体は、上シェル、中シェル及び下シェルを重ね合わせることによって構成されると共に、上シェル及び中シェル間又は中シェル及び下シェル間に上記ディスク収納室が形成され、上記中シェルが上記上シェル及び上記下シェルの少なくとも一方によって回転自在に支持されると共に、上記上シェル及び上記下シェルの少なくとも一方又は上記上シェル及び上記下シェルの少なくとも一方と上記中シェルとに上記開口部が設けられ、
上記シャッタ部材は、上記中シェルの回転に応じて上記開口部を開く開位置と当該開口部を閉じる閉位置との間に移動可能とされ、
上記シャッタ固定手段により、上記閉位置において上記中シェルをロックすることにより上記シャッタ部材を閉じた状態に保持すると共に、上記開位置において上記中シェルをロックすることにより当該シャッタ部材を開いた状態に保持するようにした
ことを特徴とするディスク記録再生装置。
【請求項１８】
上記シャッタ固定手段は、上記上シェル及び上記下シェルの少なくとも一方に回動自在に支持されると共に、上記開位置及び上記閉位置の両位置において上記中シェルに係合して当該中シェルをロックするロック部材である
ことを特徴とする請求項１７記載のディスク記録再生装置。
【請求項１９】
上記ロック部材は、上記中シェルに着脱可能に係合されるロック爪と、上記ロック爪を上記中シェル側に付勢する弾性片と、外力の作用により上記弾性片のバネ力に抗して上記ロック爪による上記中シェルのロックを解除する入力部と、を有する
ことを特徴とする請求項１８記載のディスク記録再生装置。
【請求項２０】
上記ロック部材の上記入力部の上記外力が作用する方向の長さは、上記中シェルを回転させるため当該中シェルに設けられたギア部の歯先間距離よりも長く設定した
ことを特徴とする請求項１９記載のディスク記録再生装置。
【請求項２１】
上記中シェルは、上記開位置及び上記閉位置の両位置においてロック爪にそれぞれ係合される第１の係合部及び第２の係合部を有する
ことを特徴とする請求項１７記載のディスク記録再生装置。
【請求項２２】
上記シャッタ部材は、略半円形とされた２枚の板体からなり、当該２枚で一対のシャッタ部材が上記開口部を有する上記中シェル、上記上シェル及び上記下シェルの少なくとも一面側に当該開口部を挟んで対向するように配置されている
ことを特徴とする請求項１７記載のディスク記録再生装置。
【請求項２３】
上記一対のシャッタ部材は、上記上シェル及び上記下シェルの少なくとも一方に対して、それぞれのシャッタ部材に対応する支点を中心として回動自在に支持されている
ことを特徴とする請求項２２記載のディスク記録再生装置。
【請求項２４】
上記一対のシャッタ部材は、上記中シェルに対して、それぞれのシャッタ部材に対応する支点を中心として回動自在に支持されていると共に、上記上シェル及び上記下シェルの少なくとも一方に対して、それぞれのシャッタ部材に対応する支点によって摺動自在に支持されている
ことを特徴とする請求項２２記載のディスク記録再生装置。
【請求項２５】
上記シャッタ開閉手段は、ラック部と当該ラック部の前後に配置された凸部とを有し、上記中シェルは上記ラック部に噛合されるギア部と当該ギア部の前後に配置された凹部とを有し、
上記シャッタ開閉手段の進退運動に基づいて上記中シェルに回転運動を付与するようにした
ことを特徴とする請求項１７記載のディスク記録再生装置。
【発明の詳細な説明】
【０００１】
【発明の属する技術分野】
本発明は、光ディスクや光磁気ディスク、磁気ディスク等のディスク状記録媒体をカートリッジ筐体のディスク収納室内に収納するためのディスクカートリッジ、そのディスク収納室内にディスク状記録媒体が予め回転自在に収納されたディスク記録媒体装置、及びこのディスク記録媒体装置を用いて情報の記録及び／又は再生を行うためのディスク記録再生装置に関するものである。
【０００２】
【従来の技術】
従来、一般に、音声、映像或いはコンピュータのデータ等の情報の記録及び／又は再生が可能なディスク状記録媒体がカートリッジ筐体内に回転自在に収納されたディスク記録媒体装置としては、例えば、図４２に示すような構成のものが知られている。このディスク記録媒体装置１は、コンピュータのデータ等の情報を使用者が後から記録（書き込み）できる追記形光磁気ディスク４を内蔵している情報記録メディアである。
【０００３】
このディスク記録媒体装置１は、一対の上シェル２ａ及び下シェル２ｂによって構成されるカートリッジ筐体２と、このカートリッジ筐体２のディスク収納室３内に回転自在に収納された光磁気ディスク４等を備えている。カートリッジ筐体２の上下両面には、中央部から一辺に向かって延びる上下の開口部５が設けられている。この開口部５は、その一辺に沿ってスライド可能とされたシャッタ部材６によって開閉可能とされている。このシャッタ部材６は、図に現れないスプリングによって開口部５を閉じる方向へ常時付勢されている。６ａは、シャッタ部材６の先端部の抜け出しを防止するための押え部材である。
【０００４】
また、光磁気ディスク４の中央部には、金属によって円盤状に形成されたセンタハブ７が設けられている。このセンタハブ７は、開口部５の内側端部に対応された位置、即ち、カートリッジ筐体２の略中央部に配置されている。このセンタハブ７には、情報記録再生装置の本体側に設けられるターンテーブルが装着され、そのターンテーブルによるチャッキングにより固定されて光磁気ディスク４が所定速度（例えば、線速度一定）で回転駆動される。この際、開口部５内にヘッド部が挿入される光磁気ピックアップ装置の働きにより、光磁気ディスク４に対する情報信号の記録又は再生が行われる。
【０００５】
【発明が解決しようとする課題】
しかしながら、このような構成を有する従来のディスク記録媒体装置においては、カートリッジ筐体２に摺動自在に設けたシャッタ部材６をスプリングによって開口部３を閉じる方向へ常時付勢し、使用時には、このスプリングの付勢力に抗してシャッタ部材６を開く方向へ移動して開口部３を開放させる構成となっていた。そのため、このディスク記録媒体装置１を用いて情報信号の記録及び再生を行うディスク記録再生装置においては、使用中に開口部３を開放状態に保持することを目的としてシャッタ部材６を開位置に保持するための開放保持機構が必要とされていた。
【０００６】
かかる開放保持機構は、一般に、ディスク記録再生装置に設けられているが、そのディスク記録再生装置には様々な振動源が存在しており、また、外部から衝撃が加えられることがある。このディスク記録再生装置で発生した振動、或いは外部からディスク記録再生装置に入力された衝撃力は、開放保持手段を介してディスク記録媒体装置１に伝達される。その結果、例えば、ディスク記録再生装置の振動がディスク記録媒体装置１に加えられると、光磁気ディスク４や光磁気ピックアップ装置の光磁気ヘッド等に振動が伝達され、光磁気ディスク４に対する情報信号の読み出しや書き込みが不正確になるという課題があった。
【０００７】
また、外部の衝撃力がディスク記録媒体装置１に加えられると、シャッタ部材６を開位置に保持するための開放保持機構が外れることがある。かかる場合には、例えば、閉じ方向へ移動しようとするシャッタ部材６が光学ピックアップ装置の光学ヘッドやターンテーブルに当接するような状態が発生し、その結果、光学ヘッドを破損させたり、シャッタ部材６自体を破損させるおそれがあるという課題もあった。
【０００８】
特に、近年では、光ディスクの大容量化、高記録密度化の流れの中、記録パターンの狭ピッチ化、線密度の増大化が進んでいる。そのため、光ディスクや光磁気ディスク等の情報記録面が振動したり、チリやホコリが付着したような場合には、光学ピックアップ装置による情報の読み取りや書き込みに支障を来すことがあり、正常な情報の読み書きができなくなってしまう。
【０００９】
本発明は、このような従来の課題に鑑みてなされたものであり、シャッタ部材による開口部の開放が完了したときには、シャッタ部材を開位置に保持するための外部装置の開放保持機構による圧力がカートリッジ筐体に加えられることがなく、内部機構によってシャッタ部材を開位置に保持することができるディスクカートリッジ、ディスク記録媒体装置及びディスク記録再生装置を提供し、上述したような従来の課題等を解決することを目的としている。
【００1０】
【課題を解決するための手段】
上述したような課題等を解決し、上記目的を達成するために、本出願のディスクカートリッジは、ディスクカートリッジにおいて、上シェル、中シェル及び下シェルを重ね合わせることによって上シェル及び中シェル間又は中シェル及び下シェル間にディスク収納室が形成され、中シェルが上シェル及び下シェルの少なくとも一方によって回転自在に支持されると共に、上シェル及び下シェルの少なくとも一方又は上シェル及び下シェルの少なくとも一方と中シェルとに開口部が設けられたカートリッジ筐体と、そのカートリッジ筐体に設けられ、中シェルの回転に応じて開口部を開く開位置と開口部を閉じる閉位置との間に移動可能とされたシャッタ部材と、そのシャッタ部材を閉位置において中シェルをロックすることにより閉じた状態に保持するシャッタ固定手段と、を備え、シャッタ固定手段により開位置においてシャッタ部材を開いた状態に保持するようにしたことを特徴としている。
【００１２】
本出願のディスク記録媒体装置は、ディスク記録媒体装置において、上シェル、中シェル及び下シェルを重ね合わせることによって上シェル及び中シェル間又は中シェル及び下シェル間にディスク収納室が形成され、中シェルが上シェル及び下シェルの少なくとも一方によって回転自在に支持されると共に、上シェル及び下シェルの少なくとも一方又は上シェル及び下シェルの少なくとも一方と中シェルとに開口部が設けられたカートリッジ筐体と、ディスク収納室内に回転自在に収納されたディスク状記録媒体と、カートリッジ筐体に設けられ、中シェルの回転に応じて開口部を開く開位置と開口部を閉じる閉位置との間に移動可能とされたシャッタ部材と、そのシャッタ部材を閉位置において中シェルをロックすることにより閉じた状態に保持するシャッタ固定手段と、を備え、シャッタ固定手段により開位置においてシャッタ部材を開いた状態に保持するようにしたことを特徴としている。
【００１４】
また、本出願のディスク記録再生装置は、ディスク記録再生装置において、ディスク状記録媒体が回転自在に収納されたディスク収納室を有するカートリッジ筐体と、そのカートリッジ筐体に設けた開口部を開閉可能なシャッタ部材と、そのシャッタ部材を開口部を閉じた状態に保持可能なシャッタ固定手段と、を設けたディスク記録媒体装置と、そのディスク記録媒体装置の挿脱動作に応じてシャッタ部材を移動させて開口部を開閉させるシャッタ開閉手段と、ディスク記録媒体装置が着脱可能に装着されると共に、そのディスク記録媒体装置の装着時、シャッタ開閉手段で開放された開口部から挿入されてディスク状記録媒体をチャッキングして回転駆動するディスクドライブ装置と、を備え、カートリッジ筐体は、上シェル、中シェル及び下シェルを重ね合わせることによって構成されると共に、上シェル及び中シェル間又は中シェル及び下シェル間にディスク収納室が形成され、中シェルが上シェル及び下シェルの少なくとも一方によって回転自在に支持されると共に、上シェル及び下シェルの少なくとも一方又は上シェル及び下シェルの少なくとも一方と中シェルとに開口部が設けられ、シャッタ部材は、中シェルの回転に応じて開口部を開く開位置とその開口部を閉じる閉位置との間に移動可能とされ、シャッタ固定手段により、閉位置において中シェルをロックすることによりシャッタ部材を閉じた状態に保持すると共に、開位置において中シェルをロックすることによりシャッタ部材を開いた状態に保持するようにしたことを特徴としている。
【００１５】
上述のように構成したことにより、本出願のディスクカートリッジ、ディスク記録媒体装置及びディスク記録再生装置では、閉位置において中シェルをロックすることによりシャッタ部材で開口部を閉じた状態に保持するシャッタ固定手段により、開位置においてもシャッタ部材の開いた状態を保持する構成としたため、外部装置の開放保持機構によってシャッタ部材を開いた状態に保持する必要がない。
【００１６】
そのため、外部装置で発生した振動が開放保持機構を介してディスクカートリッジ等に伝達されてくるおそれがなく、振動による書込み時及び読出し時の誤動作を防止又は抑制することができる。また、外部装置に衝撃力が加えられたような場合においても、開放保持機構が外れてシャッタ部材が自動的に閉じた状態に移動することがないため、シャッタ部材が光学ピックアップ装置の光学ヘッドやターンテーブルに当接するおそれがなくなり、従って、光学ヘッドやシャッタ部材を破損させたりするおそれをなくすことができる。
【００１７】
【発明の実施の形態】
以下、本発明の実施の形態を添付図面を参照して説明する。図１〜図４１は、本発明のディスクカートリッジ、ディスク記録媒体装置及びディスク記録再生装置の実施の例を示すものである。
【００１８】
ここで、本出願において、「ディスクカートリッジ」とは、主要な構成メンバとして上下シェル及び中シェルと、１枚若しくは一対のシャッタ部材（通常は２枚であるが、３枚以上の組み合わせでも良い。）とを有し、ディスク状記録媒体を収納する以前の筐体のみからなるものを言うものとする。また、ディスクカートリッジのディスク収納室内にディスク状記録媒体を収納し、カートリッジ筐体とディスク状記録媒体との組み合わせからなるものを「ディスク記録媒体装置」と言うものとする。更に、ディスク記録媒体装置とディスクドライブ装置との組み合わせからなるものを「ディスク記録再生装置」と言うものとする。
【００１９】
図１はディスク記録媒体装置の一実施例を上側から見た分解斜視図、図２は同じく下側から見た分解斜視図、図３は上シェルの斜視図、図４は上シェルの平面図、図５はチャックリング及びリングホルダの斜視図、図６はチャックリング及びリングホルダの中央部で断面した斜視図、図７は中シェルの斜視図、図８は中シェルの平面図、図９は一対のシャッタ部材の分解斜視図、図１０は一対のシャッタ部材の組立斜視図、図１１はロック部材を平面側から見た斜視図、図１２はロック部材を底面側から見た斜視図、図１３は誤消去防止具の斜視図、図１４は下シェルの斜視図、図１５は下シェルの平面図である。
【００２０】
図１６は一対のシャッタ部材を中シェルに組み立てた斜視図、図１７はディスク記録媒体装置を上側から見た組立斜視図、図１８はディスク記録媒体装置を下シェル側から見たシャッタ閉状態の斜視図、図１９は同じくシャッタ開状態の斜視図、図２０はディスク記録媒体装置の位置決め穴部分の断面図、図２１はディスク記録媒体装置のチャッキング前の状態を示す断面図、図２２は同じくチャッキング状態を示す断面図、図２３Ａ〜Ｃは中シェルの昇降動作を示す説明図、図２４は３つのシェル及びシャッタ部材間の公差を説明するための分解断面図、図２５は同じく公差を説明するための組立断面図である。
【００２１】
また、図２６はディスク記録媒体装置が用いられるディスクドライブ装置の一実施例を示す斜視図、図２７は同じく送りねじ動力装置の動力伝達部材等を断面して示す斜視図、図２８はディスクドライブ装置の回路構成の一実施例を示すブロック線図、図２９はディスクドライブ装置にディスク記録媒体装置を挿入する前の状態を示す斜視図、図３０は同じく挿入中の状態を示す斜視図、図３１はディスクドライブ装置のシャッタ開閉手段の一実施例を示す斜視図である。
【００２２】
図３２はディスクカートリッジの上シェルを取り除き中シェルと下シェルとシャッタ機構とロック部材との関係を説明するシャッタ閉じ状態の平面図、図３３は図３２の要部を拡大して示す平面図、図３４は同じく斜視図、図３５は下シェルを取り除きシャッタ部材の全閉状態から中シェルが略５°回転した状態を説明する平面図、図３６は図３５において上シェルを取り除き中シェルと下シェルとロック部材等との関係を説明する要部を拡大した平面図、図３７は下シェルを取り除きシャッタ部材の全閉状態から中シェルが略３０°回転した状態を説明する平面図、図３８は図３７において上シェルを取り除き中シェルと下シェルとロック部材等との関係を説明する要部を拡大した平面図、図３９は下シェルを取り除きシャッタ部材の全開状態（中シェルが略５５°回転）を説明する平面図、図４０は図３９において上シェルを取り除き中シェルと下シェルとロック部材等との関係を説明する要部を拡大した平面図、図４１はラック棒のラック部の要部を拡大した説明図である。
【００２３】
本発明のディスクカートリッジを含むディスク記録媒体装置１０は、ディスク状記録媒体として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスク１１を収納したものである。しかしながら、ディスク状記録媒体としては、これに限定されるものではなく、例えば、薄い円盤の表面に磁性薄膜層を形成して特定位置の磁化状態により情報を記憶するようにした磁気ディスク、同様に形成した磁性薄膜層に光ヘッドと磁気ヘッドを使用して情報を書き込み又は読み出すようにした光磁気ディスクその他のディスク状をなす記憶媒体を適用することができるものである。
【００２４】
ディスク記録媒体装置１０は、図１及び図２に示すように、一対の上シェル１３、中シェル１４及び下シェル１５を重ね合せることによって形成されるカートリッジ筐体１２と、このカートリッジ筐体１２内に形成されたディスク収納室１６内に回転自在に収納される光ディスク１１と、中シェル１４及び下シェル１５に形成された内側開口部１８及び外側開口部１７を開閉する一対のシャッタ部材１９ａ，１９ｂ等を備えて構成されている。このディスク記録媒体装置１０から光ディスク１１を取り除いたものがディスクカートリッジである。
【００２５】
ディスク記録媒体装置１０は、通常、光ディスク１１を水平状態にして使用されるため、この出願においては、光ディスク１１の上側に配されるシェルを上シェル１３と言い、光ディスク１１の下側に配されるシェルを下シェル１５と言うものとする。しかしながら、ディスク記録媒体装置１０は光ディスク１１を垂直状態或いは斜め状態にして使用することができるものであり、かかる場合には、この実施例で言う上シェル１３は第１のシェルと言い換え、下シェル１５は第２のシェルと言い換えるものとする。
【００２６】
上シェル１３は、図１〜図４に示すように、正面側が円弧形状とされた略四角形をなす薄い皿状の部材からなる。この上シェル１３の下面（図４において表面として現れている面）の中央部には周方向に連続する環状の上内面壁２１が形成されており、この上内面壁２１の内側に円形の上凹陥部１６ａが設定されている。そして、上内面壁２１の外側には、周方向に連続して上内面壁２１を囲うように環状のカム溝２２が設けられている。このカム溝２２の周方向の３箇所には、所定長さのカム部２２ａ（図４において格子縞状にハッチングした部分）が略等間隔に設けられている。カム部２２ａは、中シェル１４が回転変位して上シェル１３に対して所定位置に移動したときに中シェル１４をリフトアップさせて下シェル１５に近づけるものである。このカム部２２ａの作用は、後に詳細に説明する。
【００２７】
この上シェル１３の外周縁には、上前面縁１３ａと左右の上側面縁１３ｂ，１３ｃと上後面縁１３ｄとが形成されている。上前面縁１３ａの略中央部には、下シェル１５との位置合わせを行うと共に後述する光学ヘッドを出し入れするための第１の凹部２３ａが設けられている。また、上後面縁１３ｄの中央部は内側に後退されており、その凹陥部１３d0には下シェル１５の下後面縁が装着される。更に、上後面縁１３ｄの略中央部には、下シェル１５との位置合わせを行うための第２の凹部２３ｂが設けられている。そして、上内面壁２１の第１及び第２の凹部２３ａ，２３ｂと対向する位置には、各凹部２３ａ，２３ｂに対応された形状及び大きさを有する切欠き２１ａ，２１ｂが設けられている。
【００２８】
また、上シェル１３の一方の上前面縁１３ａ及び上側面縁１３ｃとカム溝２２との間には、それぞれに所定の隙間をあけて２つの前側上囲い壁２４ａ，２４ｂが設けられている。更に、上後面縁１３ｄ及び上側面縁１３ｂとカム溝２２との間には、それぞれに所定の隙間をあけて２つの後側上囲い壁２４ｃ，２４ｄが設けられている。そして、上後面縁１３ｄ及び上側面縁１３ｃとカム溝２２との間には、同じくそれぞれに所定の隙間をあけて２つの後側上囲い壁２４ｅ，２４ｆが設けられている。これら上囲い壁２４ａ〜２４ｆの高さは上内面壁２１よりも高く設定されており、特に、各角部に位置する３箇所の上囲い壁２４ａ、２４ｃ及び２４ｅは、組立時において下シェル１５の内面に当接し得る高さに設定されている。
【００２９】
更に、上シェル１３の後側上囲い壁２４ｅの内側には、後述する誤消去防止具２５がスライド動作可能に装着されるプラグ収納部２６の上凹陥部２６ａが設けられている。この上凹陥部２６ａは、誤消去防止具２５をスライド操作するための開口窓２７の上半分を形成する上切欠き２７ａが設けられた上後面縁１３ｄと、上切欠き２７ａの内側を囲うように設けられた上収納壁２８ａとで形成されている。そして、上凹陥部２６ａには、誤消去防止具２５を間欠的に動作させるため２箇所にノッチが形成されたガイド部２９が設けられている。更に、上シェル１３の４箇所の角部には、下シェル１５をネジ止めするためのネジ止め突起３０がそれぞれ設けられている。
【００３０】
図３に示すように、上シェル１３の上面は、中央部から背面に掛けて上方へ少々膨出されており、その膨出部３１の背面側には、把持する際の滑り止め用の把持凹部３１ａが設けられている。この膨出部３１の前面側には、ディスク記録媒体装置１０をディスク記録再生装置に挿入する時の挿入方向を示す三角形の指示標識３１ｂが設けられている。そして、指示標識３１ｂと把持凹部３１ａとの間には、記録内容その他の必要事項を記載することができるラベルを貼付するための上ラベル貼付面３１ｃが設けられている。
【００３１】
この上シェル１３の内面の中央部には、チャックリング３３がリングホルダ３４によって回動自在に支持されている。チャックリング３３及びリングホルダ３４は、図５及び図６に拡大して示すような構成を有している。即ち、チャックリング３３は、マグネットによって吸着される磁性材料（例えば、ステンレス鋼ＳＵＳ４３０等）によって円板状に形成されている。そして、直径が異なるリング状の凹凸を同心上に複数設けることによってチャックリング３３には、最外周に位置するフランジ部３３ａと、光ディスク１１に接触される挟持部３３ｂと、この挟持部３３ｂとフランジ部３３ａとの間に設定されたテーパ部３３ｃと、最内周に位置する位置規制部３３ｄと、この位置規制部３３ｄと挟持部３３ｂとの間に設定された逃し部３３ｅとが設けられている。
【００３２】
チャックリング３３の挟持部３３ｂは、光ディスク１１の中央穴１１ａを囲う周縁部を押圧してターンテーブルに押しつける押え部の役割を有するもので、この挟持部３３ｂが一面側に突出され、その反対の面側にフランジ部３３ａが突出されている。そして、フランジ部３３ａの面と挟持部３３ｂの面の内側に適当な段差をおいて、挟持部３３ｂ側からフランジ部３３ａに向かって逃し部３３ｅと位置規制部３３ｄが設定されている。
【００３３】
チャックリング３３の位置規制部３３ｄは、図２１及び図２２に示すように、ターンテーブル８１の嵌合部８１ａの先端部に対向されるもので、その嵌合部８１ａに内蔵されるマグネット９７の磁力を受ける磁力受け部となっている。この位置規制部３３ｄの中央には、嵌合部８１ａの先端部の形状に対応されてテーパ状の凹陥部３３ｆが設けられており、チャッキング時には嵌合部８１ａの先端部が着脱自在に嵌合される。
【００３４】
また、リングホルダ３４は、全体としてリング状に形成されていて、円筒体の一面側に内向きの内フランジ３４ａが設けられ、他面側に外向きの外フランジ３４ｂが設けられている。リングホルダ３４は、チャックリング３３を回転自在に収納して支持するもので、外フランジ３４ｂを溶着や接着剤による接着等の固着手段によって上シェル１３の内面の略中央部に一体的に固定されている。尚、リングホルダ３４の外フランジ３４ｂの表面を上シェル１３の内面と同一高さの面とするため、上シェル１３には外フランジ３４ｂが嵌合される取付穴１３ｅが設けられている。
【００３５】
このリングホルダ３４の内フランジ３４ａの内径はチャックリング３３の挟持部３３ｂの外径よりも大きいがフランジ部３３ａの内径よりは小さく形成されていて、テーパ部３３ｃの斜面に当接する大きさとされている。従って、チャックリング３３の半径方向内側に設定された膨出部は、その中途部までリングホルダ３４の中央穴３４ｃに挿入される。そして、リングホルダ３４の内フランジ３４ａの内周縁によってチャックリング３３のテーパ部３３ｃが下方から支持される。その結果、リングホルダ３４内においてチャックリング３３は、その面方向へ所定範囲内で移動可能とされていると共に、その面方向と直交する厚み方向（軸方向）へも所定範囲内で移動可能とされている。
【００３６】
このようなリングホルダ３４の形状に対応させて、上シェル１３の内面に設けた取付穴１３ｅには、２つの環状凸部９８ａ，９８ｂが設けられている。２つの環状凸部９８ａ，９８ｂはチャックリング３３の中心と同心になるように形成されており、内側に設定された第１の環状凸部９８ａの内面にはチャックリング３３の位置規制部３３ｄの外面が対向され、外側に設定された第２の環状凸部９８ｂの外面にはチャックリング３３のテーパ部３３ｃの内面が対向される。これら第１及び第２の環状凸部９８ａ，９８ｂを設けることにより、ディスク記録媒体装置１０を縦置きにした状態におけるチャックリング３３の傾きを小さくすることができる。
【００３７】
このような上シェル１３の下面に下シェル１５が重ね合わされる。下シェル１５は、図１、図２、図１４及び図１５に示すように、その外観形状は上シェル１３のそれと略同様とされており、正面側が円弧形状とされた略四角形をなす薄い皿状の部材からなる。この下シェル１５には、正面側に開口された外側開口部１７が設けられている。外側開口部１７は、下シェル１５の略中央部に設けられたテーブル用開口部１７ａと、このテーブル用開口部１７ａに連続して半径方向に延在され且つ前面に開口されるヘッド用開口部１７ｂとからなっている。
【００３８】
外側開口部１７は、後述するディスク回転駆動装置のターンテーブルと、同じく後述する光学ピックアップ装置の光学ヘッドを、ディスク収納室１６内に収納される光ディスク１１に臨ませるためのもので、これらが自由に出入りできる広さに設定されている。即ち、テーブル用開口部１７ａにはターンテーブルが出し入れされ、また、ヘッド用開口部１７ｂには光学ヘッドが出し入れされる。更に、下シェル１５の四隅には円弧状に連続された下内面壁３６ａ，３６ｂ，３６ｃ及び３６ｄが形成されており、この内面壁３６ａ〜３６ｄの内側に下凹陥部１６ｂが設定されている。
【００３９】
また、下シェル１５の外側開口部１７の内面側周縁には、シャッタ部材との隙間を小さくして気密性を高めるためのリブ３７が設けられている。リブ３７は、テーブル用開口部１７ａの周縁に沿って半円状に形成された円弧状リブ部３７ａと、ヘッド用開口部１７ｂの両縁に沿って平行に形成された直線状リブ部３７ｂ，３７ｂと、この直線状リブ部３７ｂとバランスを取るよう反対方向に延在されて形成された対称リブ部３７ｃ，３７ｃとを有している。そして、各直線状リブ部３７ｂ及び各対称リブ部３７ｃの外側には、各シャッタ部材の１９ａ，１９ｂの外側にできる隙間を塞ぐための遮蔽部３８ａ，３８ｂが設けられている。
【００４０】
更に、下シェル１５の下凹陥部１６ｂ内には、中シェル１４の回転運動に基づいて一対のシャッタ部材１９ａ，１９ｂを開閉動作させる一対の操作凸部３９ａ，３９ｂが設けられている。一対の操作凸部３９ａ，３９ｂは、テーブル用開口部１７ａを挟むように外側開口部３５の両側に配置されている。
【００４１】
また、下シェル１５の外周縁には、下前面縁１５ａと左右の下側面縁１５ｂ，１５ｃと下後面縁１５ｄとが設けられている。これら下前面縁１５ａ、下側面縁１５ｂ，１５ｃ及び下後面縁１５ｄは、それぞれ高さ方向中途部に段部を設けて上部の肉厚を薄くした段付き構造とされている。これら下前面縁１５ａ、下側面縁１５ｂ，１５ｃ及び下後面縁１５ｄの各薄肉部が上シェル１３の上前面縁１３ａ、上側面縁１３ｂ，１３ｃ及び上後面縁１３ｄの内側にそれぞれ入り込み、各段部が上前面縁１３ａ、上側面縁１３ｂ，１３ｃ及び上後面縁１３ｄの各下端面に当接される。
【００４２】
この下シェル１５の下前面縁１５ａの略中央部に開口されたヘッド用開口部１７ｂの開口端４０ａが上シェル１３の第１の凹部２３ａに係合され、前側の位置決めがなされる。また、下後面縁１５ｄの中央部には、上シェル１３の第２の凹部２３ｂに係合される位置決め部４０ｂが設けられており、これにより後側の位置決めがなされる。この位置決め部４０ｂの外側には、外面がラベルの貼付面とされたラベル貼付壁４１が設けられている。このラベル貼付壁４１は、できるだけ広い平面部分を確保できるように上シェル１３側に大きく突出されており、組立時には凹陥部１３d0に差し込まれる。
【００４３】
下シェル１５の一方の下前面縁１５ａ及び下側面縁１５ｃと下内面壁３６ｂとによって前側下囲い壁４２ａが形成されている。更に、下後面縁１５ｄ及び下側面縁１５ｂと下内面壁３６ｃとによって後側下囲い壁４２ｂが形成されている。そして、下後面縁１５ｄ及び下側面縁１５ｃと下内面壁３６ｄとによって後側下囲い壁４２ｃが形成されている。これにより、上下シェル１３，１５の組立時には、前側下囲い壁４２ａの内側に上シェル１３の前側上囲い壁２４ａが嵌合される。そして、後側下囲い壁４２ｂの内側には後側上囲い壁２４ｃが嵌合され、後側下囲い壁４２ｃの内側には後側上囲い壁２４ｅが嵌合される。
【００４４】
更に、下シェル１５の後側下囲い壁４２ｃの内側には、誤消去防止具２５が装着される下凹陥部２６ｂが設けられている。この下凹陥部２６ｂは、開口窓２７の下半分を形成する下切欠き２７ｂが設けられた下後面縁１５ｄと、下切欠き２７ｂの内側を囲うように設けられた下収納壁２８ｂとで形成されている。この下凹陥部２６ｂの下面には、誤消去防止具２５をガイドしてスライド方向を規制するガイド溝４３が設けられている。この下凹陥部２６ｂと上凹陥部２６ａとでプラグ収納部２６が構成されている。
【００４５】
誤消去防止具２５は、図１３に拡大して示すような構成を有している。即ち、誤消去防止具２５は、全体として立方体のような形状とされていて、正面部２５ａには一側に突出された突出部が設けられている。この正面部２５ａの突出部と反対側には、誤消去防止具２５をスライド操作するための操作突起２５ｂが設けられている。更に、誤消去防止具２５の下面には、下シェル１５のガイド溝４３に摺動可能に係合されるガイド突起２５ｃが設けられている。また、正面部２５ａと反対側の背面には、ガイド部２９に係合させて脱落を防止する係合部２５ｄが設けられている。この係合部２５ｄの近傍には、図示しないが、ガイド部２９の切欠きに弾性的に係合される弾性片が設けられており、この弾性片の弾性によってスライド操作時のクリック感が付与されている。
【００４６】
また、図１５に示すように、下シェル１５の４箇所の角部には、下シェル１５を上シェル１３にネジ止めするための前取付穴４４ａ及び後取付穴４４ｂがそれぞれ設けられている。各後取付穴４４ｂは、下シェル１５の内面に設けられた円筒状の筒軸部４５を貫通しており、各後取付穴４４ｂの内面側には上シェル１３のネジ止め突起３０が嵌合される。
【００４７】
更に、各筒軸部４５の近傍には位置決め軸部４６ａ，４６ｂが設けられている。第１の位置決め軸部４６ａは平面円形の凸部とされている一方、第２の位置決め軸部４６ｂは平面長円形の凸部とされている。そして、各位置決め軸部４６ａ，４６ｂの上端には、上下シェル１３，１５間の位置合わせを行うための一対の基準突起４７，４７が設けられている。一対の基準突起４７，４７は、それぞれ平面形状が円形とされていて、略同一の高さに設定されている。
【００４８】
一対の基準突起４７，４７に対応させて上シェル１３には、図２０に示すように、一対の基準穴４８，４８がそれぞれ設けられている。そして、各基準突起４７との干渉を避けるため上シェル１３の後側上囲い壁２４ｃ及び後側上囲い壁２４ｅには、図４に示すように、円形に湾曲された逃げ部４９ａと長円形に湾曲された逃げ部４９ｂが設けられている。
【００４９】
また、下シェル１５の各位置決め軸部４６ａ，４６ｂには、基準突起４７と反対側の下面に開口する一対の位置決め穴５０ａ，５０ｂが設けられている。これら一対の位置決め穴５０ａ，５０ｂは、ディスク記録媒体装置１０をディスク記録再生装置の所定位置であるディスク装着部に位置決めするためのものである。そのため、第１の位置決め穴５０ａは平面円形とされている一方、第２の位置決め穴５０ｂは，位置決め時における横方向の寸法誤差を吸収するため横長の長円形とされている。
【００５０】
このような構成を有する上シェル１３と下シェル１５を重ね合わせることによって形成される上下の凹陥部１６ａ，１６ｂ内に中シェル１４が回転自在に収納される。この上下シェル１３，１５と中シェル１４とによってカートリッジ筐体１２が構成されている。
【００５１】
上下に重ね合わされた上下シェル１３，１５の一方の側縁部１３ｂ，１５ｂの略中央部には、中シェル１４の外周面の一部を露出させるための開口窓５２が設けられている。この開口窓５２は、上シェル１３の接合部に設けた上切欠き部５２ａと、下シェル１５の接合部に設けた下切欠き部５２ｂとによって形成されている。更に、上下シェル１３，１５の一方の側縁部１３ｂ，１５ｂには、その接合面に沿って前後方向に延びる装填ガイド溝５３が設けられている。装填ガイド溝５３は、後述するシャッタ開閉手段の挿入により中シェル１４を回動操作するために設けたものである。
【００５２】
この装填ガイド溝５３に対応するよう他方の側縁部１３ｃ，１５ｃには、その接合面に沿って前後方向の中途部まで延びる誤挿入検出溝５４が設けられている。装填ガイド溝５３及び誤挿入検出溝５４は、上シェル１３及び下シェル１５にそれぞれ半分づつ設けられており、両シェル１３，１５を組み合わせることによって四角形の溝がそれぞれ形成されている。この装填ガイド溝５３と誤挿入検出溝５４との組み合わせにより、ディスク記録媒体装置１０をディスクドライブ装置に装着する際の誤挿入を防止して、常に正しい姿勢でディスク記録媒体装置１０を装着することができる。
【００５３】
更に、上下シェル１３，１５の一方の前縁部１３ａ，１５ａの内側にはロック収納部５５が設けられている。そして、ロック収納部５５には、中シェル１４を所定位置でロックするシャッタ固定手段の一具体例を示すロック部材５６が揺動可能に支持されている。ロック収納部５５は下凹陥部１６ｂに連通されていると共に、一方の側縁部１３ｂ，１５ｂに設けられた開口穴５７を介して装填ガイド溝５３に連通されている。このロック収納部５５の一方を形成する下シェル１５には、ロック部材５６を揺動自在に支持する支持軸５８が、上シェル１３側へ突出するように設けられている。
【００５４】
ロック部材５６は、図１１及び図１２に拡大して示すように、支持軸５８に回動自在に嵌合されて面方向へ揺動可能とされたレバー状の部材によって形成されている。即ち、ロック部材５６は、リング状をなす回動軸部５６ａと、この回動軸部５６ａから一側に突出する操作アーム５６ｂと、回動軸部５６ａから他側に突出するロックアーム５６ｃ及び弾性アーム５６ｄとによって構成されている。操作アーム５６ｂの先端には側方に突出する入力部５６b1が設けられている。操作アーム５６ｂの入力部５６b1はハンマヘッドのような形状を有しており、側方から加えられる押圧力を受けるに耐え得る強度が付与されている。
【００５５】
この操作アーム５６ｂの入力部５６b1には、後述するラック棒９５のラック部９５ａによって押圧力が付与される。即ち、ディスク記録媒体装置１０の装着時、ラック棒９５との間の相対運動により、ラック部９５ａの歯が入力部５６b1に側方から当接され、その歯の押圧力によって入力部５６b1が開口穴５７内に押し込まれる。そして、ラック部９５ａの複数の歯が入力部５６b1の装填ガイド溝５３に対向される面に順次当接することにより、入力部５６b1が開口穴５７内に保持される。
【００５６】
この入力部５６b1のラック部９５ａの各歯先との接触面における押圧力である外力が作用する方向の長さｗは、中シェル１４を回転させるため中シェル１４に設けた被操作部６０のギア部６０ａの歯先間距離ｘと同一であるラック部９５ａの歯先間距離ｘよりも長く設定されている。このように、入力部５６b1における外力作用方向の長さｗをラック部９５ａの歯先間距離ｘよりも長くすることにより、ラック部９５ａ歯先の引っ掛かりによるディスクカートリッジの破損等を防止することができる。この入力部５６b1の長さｗとラック部９５ａの歯先間距離ｘとの関係は、図４１を用いて後に詳細に説明する。
【００５７】
ロック部材５６のロックアーム５６ｃと弾性アーム５６ｄとの間には適当な大きさの隙間が設定されており、また、弾性アーム５６ｄには適当な強さの弾性が付与されている。そして、ロックアーム５６ｃの先端にはロック爪５６c1が設けられ、弾性アーム５６ｄの先端には支持頭部５６d1が設けられている。ロックアーム５６ｃのロック爪５６c1は入力部５６b1と反対側に突出する楔状の凸部からなり、このロック爪５６c1の一側には、回動軸部５６ａの穴が延びる方向に突出された突起５６c2が設けられている。また、弾性アーム５６ｄの支持頭部５６d1は円筒状とされており、この支持頭部５６d1が下シェル１５の下前縁部１５ａに当接される。
【００５８】
このような構成を有するロック部材５６は、図３２〜図４０に示すような状態で支持軸５８に取り付けられる。即ち、ロック爪５６c1を下シェル１５の下凹陥部１６ｂ側に向けた状態で支持軸５８に回動軸部５６ａを嵌合し、弾性アーム５６ｄの支持頭部５６d1を下前縁部１５ａの内面に当接させる。これにより、弾性アーム５６ｄのバネ力によってロックアーム５６ｃが内側に付勢され、その先端のロック爪５６c1が下凹陥部１６ｂ内に突出される。これと同時に、操作アーム５６ｂの入力部５６b1が開口穴５７に内側から挿入され、入力部５６b1の先端が装填ガイド溝５３内に突出される。
【００５９】
このようなバネ体であるロック部材５６の材質としては、例えば、ポリアセタール（ＰＯＭ）が好適であるが、その他のエンジニアリングプラスチックを適用することができることは勿論のこと、金属製のバネ材を用いることもできる。尚、ロック部材５６は、この実施例のような形状に限定されるものではなく、操作アーム５６ｂとロックアーム５６ｃと弾性アーム５６ｄを備えるものであれば、その形状や配置等を適当に選択できるものである。また、この実施例とは反対に、支持軸５８を上シャル１３に設けて上シャル側に回動自在に支持する構成とすることができ、更に、両シェルから半分ずつ支持軸を突出させて、両支持軸でロック部材５６を支持する構成とすることもできる。
【００６０】
このような上シェル１３及び下シェル１５の上下凹陥部１６ａ，１６ｂ内に回転自在に収納される中シェル１４は、図１、図２、図７及び図８に示すような構成を備えている。この中シェル１４は、円盤状の薄い板材からなる平面部１４ａと、この平面部１４ａの外周縁に連続して設けられたリング部１４ｂとを有している。この中シェル１４の平面部１４ａに内側開口部１８が形成されている。この内側開口部１８は、下シェル１５の外側開口部１７と形状及び大きさが略等しく形成されている。
【００６１】
即ち、内側開口部１８も外側開口部１７と同様に、平面部１４ａの中央部に設定され且つターンテーブルが出し入れされるテーブル用開口部１８ａと、このテーブル用開口部１８ａに連続され且つ光学ヘッドが出し入れされるヘッド用開口部１８ｂとを有している。そして、平面部１４ａのテーブル用開口部１８ａの内周縁には、自由状態において光ディスク１１の内側非記録領域を下方から支える支持縁部１４ｃが設けられている。
【００６２】
また、中シェル１４のリング部１４ｂの外周面の一部には、シャッタ開閉手段により係合されてその往復動作により中シェル１４を所定の角度範囲内において回動させる被操作部６０が設けられている。この被操作部６０は、図７及び図８等に示すように、周方向の所定範囲（略３０°程度）に渡って多数の歯が設けられたギア部６０ａと、このギア部６０ａの一側に連続して設けられた前滑り部６０ｂと、ギア部６０ａの他側に連続して設けられた後滑り部６０ｃと、後滑り部６０ｃから周方向に所定距離離れた位置に設けられた第１のランド部６０ｄと、前滑り部６０ｂから周方向に所定距離離れた位置に設けられた第２のランド部６０ｅとを有している。
【００６３】
被操作部６０の後滑り部６０ｃと第１のランド部６０ｄとの間には、後滑り部６０ｃ側の高さを低く設定した斜面部６０ｆが設けられている。また、前滑り部６０ｂの外周面はギア部６０ａの歯先円と略同じ高さの円弧面とされ、後滑り部６０ｃの外周面はギア部６０ａの歯底円と略同じ高さの円弧面とされている。そして、斜面部６０ｆは、その一側が後滑り部６０ｃと略同じ高さに設定され、他側が接線のように直線的に延在されて第１のランド部６０ｄの頂面に到達されている。更に、前滑り部６０ｂの周方向の略中央部には断面円弧状の切欠きからなる初期動作用凹部６１ａが設けられ、後滑り部６０ｃと斜面部６０ｆとの間には断面台形状の切欠きからなるセット位置用凹部６１ｂが設けられている。
【００６４】
この被操作部６０のギア部６０ａ及び前後滑り部６０ｂ，６０ｃがリング部１４ｂの外周面から外側へ突出されるため、上シェル１３及び下シェル１５のこれらに対応する部分には、図４及び図１５に示すように、これら突出部との接触を回避してその通過を許容するための上逃げ部５２ａ及び下逃げ部５２ｂが設けられている。この上下逃げ部５２ａ，５２ｂによって開口窓５２が構成されている。そして、セット位置用凹部６１ｂが、開口部１７，１８を閉じる閉位置においてロック部材５６のロック爪５６c1により係合される第２の係合部が構成されている。
【００６５】
また、前滑り部６０ｂのギア部６０ａと反対側の端部によって開放側のエンドストッパ６３ａが構成され、第１のランド部６０ｄの斜面部６０ｆと反対側の端部によって閉鎖側の第１エンドストッパ６３ｂが構成され、第２のランド部６０ｅのエンドストッパ６３ａと対向する端部によって閉鎖側の第２エンドストッパ６３ｃが構成されている。そして、第１エンドストッパ６３ｂにより、開口部１７，１８を開く開位置においてロック部材５６のロック爪５６c1により係合される第１の係合部が構成されている。
【００６６】
かくして、下シェル１５と中シェル１４とロック部材５６とは、組立時において、次のような位置関係を有している。下シェル１５の外側開口部１７と中シェル１４の内側開口部１８とが最も大きく回転変位したシャッタ閉じ状態では、図３２及び図３３に示すように、被操作部６０の前滑り部６０ｂがカートリッジ筐体１２の開口窓５２に対向され、第１のランド部６０ｄの第１エンドストッパ６３ｂが下シェル１５の開口端４０ａに当接される。このとき、第２のランド部６０ｅの第２エンドストッパ６３ｃが下シェル１５の位置決め部４０ｂに対向される。また、ロック部材５６のロック爪５６c1が中シェル１４のセット位置用凹部（第２の係合部）６１ｂに係合され、このロック部材５６によって中シェル１４がロックされた状態にある。
【００６７】
この状態から、ロック部材５６によるロックを解除して中シェル１４を所定方向に所定角度だけ回動させると、外側開口部１７に内側開口部１８が合致され、両開口部１７，１８が大きく開かれる。その結果、両開口部１７，１８を介してディスク収納部１６が開口され、光ディスク１１の情報記録面の一部が露出される。このとき、前滑り部６０ｂのエンドストッパ６３ａが下シェル１５の位置決め部４０ｂに当接し、これ以上の中シェル１４の回動が防止される。また、開口窓５２にはセット位置用凹部６１ｂが対向されると共に、第１エンドストッパ６３ｂにロック部材５６のロック爪５６c1が係合され、これにより中シェル１４がロック状態に保持される。
【００６８】
また、中シェル１４のリング部１４ｂの開口側の端面には、周方向の２箇所に配置された円弧状のカム突起６４が設けられている。これらのカム突起６４は、中シェル１４を上シェル１３等に組み立てた状態において、上シェル１３のカム溝に係合される。そして、中シェル１４が所定角度回転することにより、各カム突起６４がカム溝２２のカム部２２ａにそれぞれ乗り上げられ、これにより、中シェル１４が下シェル１５側に押圧される。
【００６９】
この中シェル１４の平面部１４ａには、一対のシャッタ部材１９ａ，１９ｂを当該平面部１４ａの平面方向へ回動自在に支持するための一対の支持軸１４ｄ，１４ｄが設けられている。一対の支持軸１４ｄ，１４ｄは、一対のシャッタ部材１９ａ，１９ｂに対応するそれぞれの支点をなすもので、テーブル用開口部１８ａを中心にして一方がヘッド用開口部１８ｂの縁部分に位置するよう点対称に配設されている。
【００７０】
この一対の支持軸１４ｄ，１４ｄを介して中シェル１４に取り付けられるシャッタ機構１９を構成する一対のシャッタ部材１９ａ，１９ｂは、略同一の形状及び大きさとされた２枚のシャッタ部材１９ａ，１９ｂからなっている。一対のシャッタ部材１９ａ，１９ｂは、図９及び図１０等に示すような形状及び構造を有している。即ち、一対のシャッタ部材１９ａ，１９ｂは、略半円形をなす薄い板体によって形成されている。
【００７１】
各シャッタ部材１９ａ，１９ｂの弦側辺の一側部には、それぞれ軸受孔６５ａが設けられている。各軸受孔６５ａには一対の支持軸１４ｄがそれぞれ回動自在に嵌合され、各支持軸１４ｄの先端部をカシメることによって一対のシャッタ部材１９ａ，１９ｂが中シェル１４の平面部１４ａ上に載置されて旋回運動自在に取り付けられる。この際、一対のシャッタ部材１９ａ，１９ｂは、互いの弦側を対向させて取り付ける。
【００７２】
一対のシャッタ部材１９ａ，１９ｂの弦側辺には、弦線と直交する方向に所定長さを有する段部６６が設けられており、この段部６６によってその両側に凸側接合部６６ａと凹側接合部６６ｂとが形成されている。各接合部６６ａ，６６ｂには、弦の延在方向と直交する方向に庇状に突出する庇部６７ａ，６７ｂがそれぞれ設けられている。かくして、一対のシャッタ部材１９ａ，１９ｂにおいて、互いに凸側接合部６６ａの端面と凹側接合部６６ｂの端面とがそれぞれ対向され、凸側接合部６６ａの庇部６７ａが凹側接合部６６ｂの庇部６７ｂにそれぞれ重なり合わされる。
【００７３】
一対のシャッタ部材１９ａ，１９ｂは、図１６に示すように、互いの弦側辺を対向させた状態で中シェル１４に取り付けられる。従って、一対のシャッタ部材１９ａ，１９ｂをそれぞれ外側へ離反させるように回動させると、各シャッタ部材１９ａ，１９ｂは平面部１４ａ上を外側に移動し、これにより内側開口部１８が完全に開かれる。一方、一対のシャッタ部材１９ａ，１９ｂをそれぞれ内側へ回動させて互いの接合部６６ａ，６６ｂをそれぞれ当接させることによってシャッタ機構１９は略円形となり、その一対のシャッタ部材１９ａ，１９ｂによって内側開口部１８の中央部が完全に遮蔽される。
【００７４】
更に、各シャッタ部材１９ａ，１９ｂには、中シェル１４の回動動作を介して当該シャッタ部材１９ａ，１９ｂに開口部１７，１８の開閉運動を与えるための開閉溝６８がそれぞれ設けられている。各開閉溝６８は、その一端が各シャッタ部材１９ａ，１９ｂの略中央部に設定されており、その一端と軸受孔６５ａとを結ぶ線の延長線上外側に延在するように形成されている。一対の開閉溝６８の外側の端部には、周囲に切り込みを入れることによって形成された弾性片６９ａと、下シェル１５の操作凸部３９ａ，３９ｂを逃がすための凹部６９ｂとが設けられている。一対の開閉溝６８には、下シェル１５の一対の操作凸部３９ａ，３９ｂの対応する操作凸部が摺動可能に係合される。
【００７５】
更に又、一対のシャッタ部材１９ａ，１９ｂには、開口部１７，１８を完全に閉じた状態において下シェル１５の突条であるリブ３７と対応する形状をなす凹溝であるリブ逃げ溝７０が設けられている。即ち、リブ逃げ溝７０は、リブ３７の円弧状リブ部３７ａ及び一対の直線状リブ部３７ｂ，３７ｂに対応された形状として略Ｕ字状に形成されており、その反対側には対称リブ部３７ｃ，３７ｃに対応された平面状の逃げ面７０ａが設けられている。このリブ逃げ溝７０とリブ３７とにより、図２１に示すように、クランク状をなす迷路のような防塵用隙間７１が構成されている。
【００７６】
この防塵用隙間７１は、迷路のような隙間を設けることによってゴミや埃等の侵入を防止することを目的とするものである。この防塵用隙間７１は、中シェル１４を所定方向に回転して一対のシャッタ部材１９ａ，１９ｂで開口部１７，１８を完全に閉じることによって形成される。このように、一対のシャッタ部材１９ａ，１９ｂと下シェル１５との合わせ面において、クランク状をなす迷路のような隙間を形成することにより、ゴミ等を通り難くしてディスク収納室１６内にゴミ等が侵入するのを防止又は効果的に抑制することができる。
【００７７】
尚、この実施例とは逆に、上述したようなリブを一対のシャッタ部材に設け、これに対応するリブ逃げ溝を下シェルに設ける構成とすることによっても同様の効果を得ることができる。また、中シェル１４の平面部１４ａ側においてその外周縁とシャッタ部材１９ａ，１９ｂとの間には隙間が設定されているが、その隙間を下シェル１５に設けた遮蔽部３８ａによって塞ぐようにしたため、かかる隙間からのゴミ等の侵入を防止することができる。
【００７８】
このような構成を有する一対のシャッタ部材１９ａ，１９ｂが、図１６に示すように、内側開口部１８を開閉できるよう中シェル１４に所定の位置関係を持って組み立てられている。そして、一対のシャッタ部材１９ａ，１９ｂを有する中シェル１４が、図２０に示すように、上下のシェル１３，１５に対して所定の位置関係を持って組み立てられている。
【００７９】
即ち、カートリッジ筐体１２の組立時、下シェル１５の外側開口部１７に中シェル１４の内側開口部１８を対向させるように重ね合わせる。このとき、カートリッジ筐体１２の開口窓５２には、中シェル１４の被操作部６０のうち、ギア部６０ａの一側に連続する前滑り部６０ｂを配置する。これにより、開口窓５２の略中央部に初期動作用凹部６１ａが設置される。この中シェル１４と上シェル１３とによって円形の空間部からなるディスク収納室１６が形成されている。
【００８０】
このディスク収納室１６内に、ディスク状記録媒体の一具体例を示す光ディスク１１が半径方向外側及び厚み方向に所定の隙間を持たせて回転自在に収納される。このとき、光ディスク１１が片面にのみ情報記録面を設けた片面記録方式のものである場合には、その情報記録面を開口部１７，１８に対向させるように収納する。その結果、光ディスク１１の他面であるラベル貼付面が上シェル１３側に設定され、中央のセンタ穴１１ａにチャックリング３３が対向される。
【００８１】
光ディスク１１は、中央部にセンタ穴１１ａが設けられた厚みの薄い円板状の記録部材からなる。この光ディスク１１のセンタ穴１１ａには、図２２に示すように、ディスクドライブ装置に内蔵されるディスク回転駆動装置のターンテーブル８１が嵌合される。このターンテーブル８１に内蔵されたマグネット９７の磁力によってチャックリング３３が吸着され、このチャックリング３３とターンテーブル８１とで光ディスク１１が挟持されて回転方向に一体化される。そして、ターンテーブル８１が取り付けられるスピンドルモータ７５の駆動により、ターンテーブル８１と一体に光ディスク１１が所定速度（例えば、線速度一定）で回転される。
【００８２】
上述した上シェル１３、中シェル１４、下シェル１５、シャッタ部材１９ａ，１９ｂ、誤消去防止具２５及びリングホルダ３４の材質としては、例えば、ＡＢＳ樹脂（アクリロニトリル・ブタジエン・スチレン樹脂）やＨＩＰＳ（高衝撃性ポリスチレン）等の合成樹脂が好適である。しかしながら、その他のエンジニアリングプラスチックを適用できることは勿論のこと、アルミニウム合金、ステンレス鋼その他の金属材料を用いることもできる。また、チャックリング３３の材質としては、上述したステンレス鋼に限られるものではなく、鉄その他の磁性体からなる金属は勿論のこと、例えば、プラスチックに磁性材料を含有させて磁性体としたものを適用することもできる。
【００８３】
上述したような構成を有するディスク記録媒体装置１０は、例えば、次のようにして簡単に組み立てることができる。このディスク記録媒体装置１０の組立作業は、上シェル１３を下に配置した状態で行われる。まず、上シェル１３の上凹陥部１６ａ内に光ディスク１１を載置する。このとき、光ディスク１１は、情報記録面を下にして上凹陥部１６ａ内に入れ込む。
【００８４】
次に、光ディスク１１を覆うように中シェル１４の開口側を上凹陥部１６ａに嵌合させる。これにより、中シェル１４と上シェル１３とで形成されるディスク収納室１６内に光ディスク１１が回転自在に収納される。このとき、中シェル１４の内側開口部１８が延在する方向を上シェル１３の前後方向に一致させ、被操作部６０の前滑り部６０ｂを開口窓５２に臨ませる。
【００８５】
尚、シャッタ機構１９は、予め中シェル１４に組み立てておくと良い。その際には、一対のシャッタ部材１９ａ，１９ｂの互いの弦側を対向させ、各軸受穴６５ａを中シェル１４の各支持軸１４ｄに嵌合させて、平面部１４ａ上にそれぞれ載置させる。そして、各支持軸１４ｄの先端部をカシメることにより、一対のシャッタ部材１９ａ，１９ｂが内側開口部１８を開閉可能な状態で平面部１４ａに取り付けられる。
【００８６】
次に、ロック収納部５５の支持軸５８にロック部材５６を取り付ける。この際、ロック部材５６の弾性アーム５６ｄの支持頭部５６d1を上シェル１３の上前縁部１３ａの内面に当接させ、この弾性アーム５６ｄのバネ力によって操作アーム５６ｂの入力部５６b1をカートリッジ筐体１２の開口穴５７から装填ガイド溝５３内に突出させる。そして、ロック部材５６のロックアーム５６ｃのロック爪５６c1を被操作部６０のセット位置用凹部６１ｂに係合させる。その結果、中シェル１４がロック部材５６によってロックされる。
【００８７】
これと同時に、又は前後して、誤消去防止具２５をプラグ収納部２６に装着する。この場合、ガイド突起２５ｃ側から挿入し、係合部２５ｄをガイド部２９に係合させると共に、操作突起２５ｂを開口窓２７の下切欠き２７ｂに係合させる。
【００８８】
次に、シャッタ機構１９を含む中シェル１４の上に下シェル１５を被せ、この下シェル１５を上シェル１３に重ね合わせる。このとき、下シェル１５の開口端４０ａを上シェル１３の第１の凹部２３ａに嵌め合わせると共に、下シェル１５の位置決め部４０ｂを上シェル１３の第２の凹部２３ｂに嵌め込合わせる。これと同時に、上シェル１３の各逃げ部４９ａ，４９ｂに下シェル１５の各位置決め軸部４６ａ，４６ｂが嵌合される。そして、各位置決め軸部４６ａ，４６ｂに設けた基準突起４７が上シェル１３の各基準穴４８に嵌合される。これらによって下シェル１５が上シェル１３に対して自動的に位置決めされる。
【００８９】
この際、一対のシャッタ部材１９ａ，１９ｂを図１６に示す状態に設定しておくことにより、下シェル１５の下凹陥部１６ｂ内に設けた一対の操作凸部３９ａ，３９ｂを各シャッタ部材１９ａ，１９ｂに設けた開閉溝６８の凹部６９ｂにそれぞれ対向させることができる。そのため、一対の開閉溝６８の位置を気に掛けることなく、下シェル１５を上シェル１３に重ね合わせるだけで一対の操作凸部３９ａ，３９ｂを一対の開閉溝６８，６８に簡単に係合させることができる。
【００９０】
その後、複数本の固定ネジを用いて下シェル１５を上シェル１３に締め付け固定する。これにより、図１７に示すような外観形状と、図２０に示すような断面構成を有するディスク記録媒体装置１０の組立作業が完了する。この場合、固定ネジ等の別部材からなる固着手段を用いることなく、例えば、接着剤等を用いて上シェル１３と下シェル１５の接合面を直に接合する構成とすることもできる。このように、本実施例に係るディスク記録媒体装置１０によれば、使用される構成部品の点数が比較的少なく、簡単に組立作業を行うことができる。
【００９１】
尚、図示しないが、カートリッジ筐体に上述した開口部１７，１８の２個分の開口部を設けることにより、光学ヘッドを２個同時に使用できる構成とすることができる。この場合、２個分の開口部は、互いに直角に配置してＬ字状としても良く、また、直線上に対向するよう配置してＩ字状とすることもできる。
【００９２】
この場合、例えば、１ヘッド用の中シェル１４及び下シェル１５を２ヘッド用の中シェル及び下シェルに代えて使用することにより、一方の光学ヘッドによって新たな情報信号を記録しながら、他方の光学ヘッドによって記録されたばかりの情報信号の記録状態の確認作業等を行うことができる。また、中シェル及び下シェルを１ヘッド用のものと２ヘッド用のものとで交換する構成とすることにより、ディスク記録媒体装置の製造を１ヘッド用と２ヘッド用に簡単に対応することができ、製造組立ラインの共通化が可能であって、需要者のニーズに適切に対応することができる。
【００９３】
上述したような構成を有するディスク記録媒体装置１０によれば、小さい力によって中シェル１４を回動させることができ、従って、小さい駆動力によって一対のシャッタ部材１９ａ，１９ｂを開閉動作させることができる一方、外部から入力される衝撃や振動に対しては中シェル１４に抵抗力を働かせて一対のシャッタ部材１９ａ，１９ｂを開き難くすることができる。
【００９４】
このようなディスク記録媒体装置１０は、例えば、図２６に示すような構成を備えたディスクドライブ装置７３に用いることができる。ディスクドライブ装置７３は、テーブル駆動装置７８で光ディスク１１をチャッキングして回転駆動すると共に、光学ピックアップ装置７９で光ディスク１１の情報記録面に対してレーザ光を照射して情報信号の読み出し及び書き込みを行うもので、シャーシ７４に搭載されている。
【００９５】
シャーシ７４は砲弾の先端部を切り取ったような平面形状を有しており、その周縁を連続させて情報へ折り曲げることにより補強用リブ７４ａが設けられている。そして、補強用リブ７４ａの４個所には、このシャーシ７４を図２９及び図３０に示すような装置本体側の部材に支持するための支持突起７４ｂが設けられている。
【００９６】
このシャーシ７４の略中央部に、スピンドルモータ７５が搭載されたモータベース板７６が固定ネジ等の固着手段によって固定されている。シャーシ７４のスピンドルモータ７５を挟んで長手方向の両側には、ともに四角形とされた第１の開口部７７ａと第２の開口部７７ｂとが設けられている。そして、第１の開口部７７ａに関連させてテーブル駆動装置７８が取り付けられている。尚、第２の開口部７７ｂは、図示しない別のテーブル駆動装置を取り付けるために使用されるものである。
【００９７】
ディスクドライブ装置７３は、光ディスク１１を所定速度（例えば、線速度一定）で回転駆動するテーブル駆動装置７８と、情報信号の書き込み及び読み出しを行うピックアップ装置の一具体例を示す光学ピックアップ装置７９と、この光学ピックアップ装置７９をテーブル駆動装置７８に対して進退動作させるピックアップ移動装置８０等を備えている。
【００９８】
テーブル駆動装置７８は、スピンドルモータ７５と、このスピンドルモータ７５の回転部に一体に設けられたターンテーブル８１等を備えて構成されている。スピンドルモータ７５は、薄い板金製のモータベース板７６上に取り付けられており、そのモータベース板７６の上面にはフレキシブル配線板７６ａが接着剤等の固着手段によって固定されている。そして、フレキシブル配線板７６ａの配線回路には、スピンドルモータ７５の配線とテーブル駆動用コネクタの配線とが接続されている。更に、コネクタには複数のフレキシブル配線板７６ｂが固定されている。
【００９９】
スピンドルモータ７５は、図２１及び図２２等に示すように、モータベース板７６に固定される固定部７５ａと、この固定部７５ａによって回転自在に支持された回転部７５ｂとを有し、回転部７５ｂの回転中心となる回転軸にターンテーブル８１が一体的に設けられている。ターンテーブル８１は、光ディスク１１のセンタ穴１１ａに嵌合される嵌合部８１ａと、この嵌合部８１ａの下部に配置されると共にセンタ穴１１ａの周縁部が載置される載置部８１ｂ等を有している。そして、嵌合部８１ａの内部にマグネット９７が内蔵されている。このターンテーブル８１に対してチャックリング３３が対向され、載置部８１ｂ上に載置された光ディスク１１をマグネットで吸引されるチャックリング３３の吸着力で挟持することにより、光ディスク１１がチャッキングされてターンテーブル８１と一体的に回転可能な状態となる。
【０１００】
また、図２６に示すように、スピンドルモータ７５を両側から挟むように一対のガイド軸８２ａ，８２ｂが、互いに平行となるように配置されている。一対のガイド軸８２ａ，８２ｂは、外周面が平滑とされた丸棒状の部材によって形成されている。そして、第１のガイド軸８２ａは調整プレート８３によって両端支持され、第２のガイド軸８２ｂはシャーシ７４によって両端支持されている。
【０１０１】
調整プレート８３は、シャーシ７４に対して姿勢変更可能に取り付けられており、この調整プレート８３の姿勢を変更することによって一対のガイド軸８２ａ，８２ｂ間の平行度が調整可能とされている。この一対のガイド軸８２ａ，８２ｂによって光学ピックアップ装置７９が、ターンテーブル８１に対して接近及び離反するよう進退移動可能に支持されている。一対のガイド軸８２ａ，８２ｂの一方の端部はスピンドルモータ７５の両側に配置され、他方の端部は平行とされてスピンドルモータ７５から離れる方向に延在されている。
【０１０２】
光学ピックアップ装置７９は、一対のガイド軸８２ａ，８２ｂにガイドされて摺動するスライド部材８４と、このスライド部材８４に載置されて往復移動される光学ヘッド等を備えて構成されている。スライド部材８４は、一対のガイド軸８２ａ，８２ｂを跨ぐことができる大きさであって、剛性を高くするためにブロック状に形成されている。このスライド部材８４の長手方向の一側には、これと交差する幅方向に対をなす軸受部８４ａが設けられており、これら軸受部８４ａに第１のガイド軸８２ａが摺動自在に挿通されている。更に、スライド部材８４の長手方向の他側には、第２のガイド軸８２ｂが摺動自在に挿通される図に現れない挿通孔が設けられている。この挿通孔は第２のガイド軸８２ｂの直径よりも大きく形成されており、その隙間の分だけスライド部材８４が、第１のガイド軸８２ａを回動中心として上下方向へ傾動可能とされている。
【０１０３】
光学ピックアップ装置７９の光学ヘッドは、対物レンズ７９ａを有する２軸アクチュエータと、この２軸アクチュエータを介して情報信号の記録及び再生を行う半導体レーザや光電変換素子等を有する光学制御部等を備えて構成されている。２軸アクチュエータの大部分はヘッドカバー７９ｂによって覆われており、このヘッドカバー７９ｂに設けた開口部から対物レンズ７９ａが露出されている。この対物レンズ７９ａが、ターンテーブル８１に装着された光ディスク１１の情報記録面に対向される。
【０１０４】
一対のガイド軸８２ａ，８２ｂのうち第１のガイド軸８２ａは、調整プレート８３に設けた一対の軸支持片８３ａ，８３ａによって支持されている。各軸支持片８３ａには軸押え板８３ｂが対をなすように設けられており、これらを固定ネジ８３ｃでネジ止めすることによって第１のガイド軸８２ａが固定支持されている。また、第２のガイド軸８２ｂは、シャーシ７４に設けた一対の軸支持片７４ｃ，７４ｃに支持されており、それぞれ軸押え板７４ｄにより押えられて、固定ネジ７４ｅでネジ止めすることによって固定支持されている。そして、調整プレート８３にはピックアップ移動装置である送りねじ駆動装置８４が取り付けられている。
【０１０５】
送りねじ駆動装置８４は、図２７に拡大して示すように、送りねじ８５と送りモータ８６と支持プレート８７と動力伝達部材８８等を備えて構成されている。送りねじ８５は、ガイド軸８２ａ，８２ｂよりも少々短い丸棒の外周面に、螺旋状に延在された１条のねじ溝８５ａを軸方向の略全長に渡って設けることにより形成されている。この送りねじ８５のねじ形状は、溝の両側面に若干の傾斜を持たせた断面形状が台形をなす台形ねじが好適であるが、断面形状が四角形をなす角ねじであってもよく、また、断面形状が半円形をなす半円形ねじとすることもでき、その他の周知形状のねじを適用することができる。
【０１０６】
送りねじ８５は、駆動源である送りモータ８６の回転軸を兼ねており、送りモータ８６によって直接回転駆動される。送りモータ８６は、円筒状のモータケース８６ａと、このモータケース８６ａの一方の開口部を閉じるケースカバー８６ｂとを有している。モータケース８６ａは、支持プレート８７のモータ支持片８７ａにカシメ等の固着手段により固定されて一体的に構成されている。このモータケース８６ａの内周面には、リング状に巻かれたコイル部が嵌合固定され、その内側にリング状のマグネットが圧入等の固着手段によって嵌合されている。
【０１０７】
支持プレート８７は、送りねじ８５と同程度の長さを有する板金製の細長い板材によって形成されている。この支持プレート８７の長手方向の両端に同方向へ立ち上げることにより、互いに平行となるように対向されたモータ支持片８７ａとネジ支持片８７ｂとが設けられている。モータ支持片８７ａの中央部には貫通孔８８ａが設けられ、ネジ支持片８７ｂの上部で貫通孔８８ａと対応する高さ位置には嵌合孔８８ｂが設けられている。このモータ支持片８７ａの外面に送りモータ８６が固定され、送りねじ８５が貫通孔８８ａに貫通されている。そして、送りねじ８５の先端部が、嵌合孔８８ｂに嵌合固定される軸受部材によって回動自在に支持されている。
【０１０８】
また、支持プレート８７には、その幅方向の一辺を長手方向に連続させて立ち上げることによりガイド突条８７ｃが設けられている。このガイド突条８７ｃは、送りねじ８５の略真下に配置されていると共に、送りねじ８５の軸心線と略平行となるように延在されている。更に、支持プレート８７には２つの挿通孔８７ｄと、２つの位置決め孔８７ｅとが設けられている。２つの位置決め孔８７ｅによって支持プレート８７が所定位置に位置決めされ、挿通孔８７ｄに挿通される取付ねじ８９ａによって調整プレート８３に取り付けられている。
【０１０９】
動力伝達部材の一具体例を示す送りナット９０は、送りねじ８５の回転力を直線運動に変換してスライド部材８４に伝達するもので、第１のナット部材９０ａ及び第２のナット部材９０ｂと、両ナット部材９０ａ，９０ｂを互いに離反する方向へ付勢するコイルばね９０ｃとから構成されている。
【０１１０】
第１のナット部材９０ａはブロック状に形成されたナット本体と、このナット本体の一面側に連続して形成された円筒状の筒軸部とを有し、これらを貫通する軸方向孔の一側に送りねじ８５のねじ溝８５ａに螺合される第１のねじ部９０a1が設けられている。更に、第１のナット部材９０ａには、軸方向と直交する側方へ突出する突出部９０a2が設けられている。この突出部９０a2には筒軸部が延びる方向に延在されたスリットが設けられており、このスリットに支持プレート８７のガイド突条８７ｃが摺動自在に係合されている。
【０１１１】
また、第２のナット部材９０ｂは、スリーブ状に形成された円筒体からなり、その中心部に軸方向孔が貫通されている。軸方向孔の一側には、送りねじ８５のねじ溝８５ａに螺合される第２のねじ部９０b1が設けられている。更に、軸方向孔には第１のナット部材９０ａの筒軸部が挿脱可能に嵌合される嵌合穴が設けられており、この嵌合穴に半径方向内側に突出したキー状突起が設けられている。この第２のナット部材９０ｂと第１のナット部材９０ａとの間にコイルばね９０ｃが介在され、そのバネ力で一対のナット部材９０ａ，９０ｂを離反する方向へ付勢することにより、送りナット９０と送りねじ８５との間に生ずる軸方向のガタを吸収するようにしている。
【０１１２】
このような構成を有する第１及び第２のナット部材９０ａ，９０ｂとコイルばね９０ｃとが、一体的に組み合わされて送りねじ８５に組み立てられている。これらの組立作業は、例えば、次のようなものである。まず、第１のナット部材９０ａの筒軸部にコイルばね９０ｃを挿入した後、その筒軸部を第２のナット部材９０ｂの筒軸部の嵌合穴に嵌合させる。次に、両ナット部材９０ａ，９０ｂが組み合わされた送りナット９０に、送りねじ８５を挿通させる。
【０１１３】
この場合、両ナット部材９０ａ，９０ｂを互いに近づけてコイルばね９０ｃを少々押し縮め、この圧縮状態を保持して送りねじ８５を回しながら差し込むようにする。これにより、送りねじ８５のねじ溝８５ａに第１のナット部材９０ａののねじ部が噛み合わされ、そのねじ溝８５ａに第２のナット部材９０ｂのねじ部が同時に噛み合わされる。そのため、コイルばね９０ｃのバネ力により、第１のナット部材９０ａが送りモータ８６から離れる方向に付勢され、第２のナット部材９０ｂが送りモータ８６に近づく方向に付勢される。
【０１１４】
その結果、図２７において、第１のナット部材９０ａのねじ部では、図中左側のねじ面が送りねじ８５の左側のねじ面に押圧され、右側のねじ面間に隙間が発生する。同様に、第２のナット部材９０ｂのねじ部では、図中右側のねじ面が送りねじ８５の右側のねじ面に押圧され、左側のねじ面間に隙間が発生する。これにより、送りナット９０全体の隙間を無くすことができ、送りねじ８５との間のガタを吸収することができる。そして、第１のナット部材９０ａの突出部９０a2設けたスリットが支持プレート８７のガイド突条８７ｃに係合されているため、送りナット９０を送りねじ８５の軸方向へ直線的に移動させることができる。
【０１１５】
更に、第１のナット部材９０ａには、側方に突出する駆動突起９０ｄが設けられている。この駆動突起９０ｄには、スライド部材８４に固定される突起受け部材９１が係合されており、この突起受け部材９１を介して送りナット９０の移動力がスライド部材８４に伝達される。突起受け部材９１は、スライド部材８４に固定するための固定片９１ａと、この固定片９１ａに連続された支持片９１ｂと、支持片９１ｂに連続された弾性片９１ｃとを有している。
【０１１６】
固定片９１ａは細長い板材からなり、その長手方向中途部の幅方向一側にＬ字状の支持片９１ｂが設けられている。そして、支持片９１ｂの自由端側の先端角部に、駆動突起９０ｄを受けて支持するための切欠きからなる支持部９１ｄが設けられている。弾性片９１ｃは、三角形に折り曲げて２つの角部を設けることによって適度な強さの弾性が付与されており、先端の折曲部を押え部９１ｅとして形成して支持部９１ｄに対向させている。更に、固定片９１ａには、突起受け部材９１をスライド部材８４に取り付けるための複数の挿通孔が設けられており、固定ねじ等の固着手段によって取り付けられる。
【０１１７】
このように取り付けられる突起受け部材９１の支持部９１ｄと押え部９１ｅとの間に、送りねじ８５に装着されている送りナット９０の駆動突起９０ｄが挿入される。そして、弾性片９１ｃのバネ力によって駆動突起９０ｄが支持部９１ｄと押え部９１ｅとで挟持され、これにより、送りナット９０とスライド部材８４との間に力の伝達が可能となる。
【０１１８】
調整プレート８３及び支持プレート８７の材質としては、例えば、ステンレス鋼板が好適であるが、スチール鋼板その他の金属製プレートを用いることができることは勿論のこと、強度の大きなエンジニアリングプラスチックを用いることもできる。また、送りねじ８５の材質としては、例えば、ステンレス鋼等のように錆難く、十分に大きな強度を有する金属材料が好適である。更に、突起受け部材９１の材質としては、例えば、弾性の大きなステンレス鋼板が好適であるが、その他の板材を用いることもできる。
【０１１９】
上述した一対のガイド軸８２ａ，８２ｂと調整プレート８３と送りねじ駆動装置８４とによって光学ピックアップ装置７９をターンテーブル８１に対して進退動作させるピックアップ移動装置８０が構成されている。
【０１２０】
次に、ディスク記録再生装置７２の記録再生装置本体９２について説明する。図２８は、記録再生装置本体９２の一具体例を示すもので、次のような構成要素を備えて構成されている。即ち、記録再生装置本体９２は、システムコントローラＳ１とメモリーコントローラＳ５とドライブコントローラＤ１との３つの制御装置を備えている。システムコントローラＳ１とメモリーコントローラＳ５とは直に接続されていて、その接続ラインには読取り専用記憶装置（ＲＯＭ）Ｓ２と読取り書込み記憶装置（ＲＡＭ）Ｓ３とが接続されている。更に、メモリーコントローラＳ５には、メモリーＳ４とＭＰＥＧ２（３Ｍ〜４０Ｍbps に対応した既存のテレビ放送、ＨＤＴＶ、広帯域ＩＳＤＮなどに応用される動画圧縮方式）用のエンコーダーＳ６及びアドレスデコーダーＳ７とが接続されている。
【０１２１】
また、システムコントローラＳ１には、コントロールパネルＳ８とリモコン受信部Ｓ９とが接続されている。更に、ドライブコントローラＤ１には誤り訂正処理回路（ＥＣＣ）Ｄ４が接続されていて、その接続ラインには記憶装置（ＲＯＭ）Ｄ２及び記憶装置（ＲＡＭ）Ｄ３と、サーボ回路Ｄ６及びアドレスデコーダーＤ７とが接続されている。更に、ドライブコントローラＤ１には記録時のエラーを判断する記録時エラー判断回路Ｄ８が接続されている。このドライブコントローラＤ１は、コマンド用インタフェースを介してシステムコントローラＳ１に接続されている。
【０１２２】
訂正処理回路Ｄ４は、データ用インタフェースを介してメモリーコントローラＳ５に接続されていると共に、変復調回路Ｄ５にも接続されている。そして、変復調回路Ｄ５は、光学ピックアップ装置７９の対物レンズ７９ａを有する光学ヘッドに接続されている。更に、サーボ回路Ｄ６は、ディスク回転駆動装置であるスピンドルモータ６８と、光学ピックアップ装置６９と、記録時エラー判断回路Ｄ８とに接続されている。そして、光学ピックアップ装置６９はアドレスデコーダーＤ７に接続され、このアドレスデコーダーＤ７は記録時エラー判断回路Ｄ８にも接続されている。
【０１２３】
このような構成を有する記録再生装置本体９２は、例えば、図２９及び図３０に示すような中空の筐体からなる外装ケース９３に収納されてディスク記録再生装置７２の構成要素として使用される。外装ケース９３は、上面及び前面に開口されたケース本体９３ａと、このケース本体９３ａの上面を閉じるように上部に着脱可能に取り付けられたケース蓋体９３ｂと、ケース本体９３ａ及びケース蓋体９３ｂの前面を閉じるように前部に着脱可能に取り付けられた前面パネル９３ｃ等を備えている。この外装ケース９３内に記録再生装置本体９２及び上述したディスクドライブ装置７３等が収納されている。
【０１２４】
外装ケース９３のケース本体９３ａの４箇所には、下方に突出する脚体９３ｄが設けられている。外装ケース９３の前面パネル９３ｃは横長とされた板状部材からなり、その上部には横長のカートリッジ出入口９４が設けられている。カートリッジ出入口９４は、ディスク記録媒体装置１０の正面側の大きさと略同程度の大きさに形成されている。このカートリッジ出入口９４は、その内側に配置された開閉扉９４ａによって常時は閉じられている。
【０１２５】
開閉扉９４ａは、図示しないスプリングによって閉じ側に付勢されており、図３０に示すように、ディスク記録媒体装置１０の前部で開閉扉９４ａを押圧して所定の位置まで差し込むことにより、図示しないローディング機構によってディスク記録媒体装置１０が自動的に取り込まれる。そして、ローディング機構で搬送されたディスク記録媒体装置１０は、外装ケース９３内の所定位置に位置決めされて固定される。これと同時に又は前後して、外装ケース９３内に設けられているシャッタ開閉手段によってディスク記録媒体装置１０のシャッタ機構１９が開放操作され、カートリッジ筐体１２の内外開口部１７，１８が開放される。
【０１２６】
このシャッタ開閉手段の一具体例を示すラック棒９５を、図３１に示している。このラック棒９５は、中シェル１４の被操作部６０のギア部６０ａに噛合されるラック部９５ａと、このラック部９５ａの先端側に設けられた前弾性片９５ｂと、同じくラック部９５ａの基端側に設けられた後弾性片９５ｃとを有している。ラック棒９５のラック部９５ａは真っ直ぐな棒材の中途部において一面側に突出するように形成されており、ギア部６０ａと略同数の歯を有している。
【０１２７】
このラック部９５ａの形状を、例えば、図４１に示すようなものとすると、ラック部９５ａの隣り合う歯先間の距離ｘとロック部材５６の入力部５６b1の長さｗとは、次のような関係となるように設定することが好ましい。
ここで、ｍ：モジュール
α：圧力角（例えば、２０°）
ｘ：歯先間距離
ｙ：歯先寸法
ｈ：歯末のたけ＝ｍ
πｍ：ピッチ
πｍ／２：ピッチの１／２
とする。尚、圧力角αは、２０°に限定されるものではなく、１４．５°その他の角度を適用できるものである。
【０１２８】
歯先寸法ｙは、
0003991642.tif 000002
歯先間距離ｘは、
0003991642.tif 000003
となる。
【０１２９】
そこで、入力部５６b1の長さｗを、ｘ（歯先間距離）よりも大きく設定する。このような寸法関係をラック棒９５のラック部９５ａとロック部材５６の入力部５６b1との間に適用することにより、例えば、次のような効果を得ることができる。
【０１３０】
上記ディスク記録媒体装置１０のディスクカートリッジのシャッタ開閉動作を、例えば、一体或いは複数部品で構成したラック状部品で行う場合、そのラック状部品でシャッタ機構のロック機構を解除するが、この際に、ロック機構の解除のための入力部５６b1の長さｗをラック部９５ａの隣り合う歯先間距離ｘよりも大きく（長く）することにより、常にラック部９５ａの歯先を入力部５６b1に作用させておくことができる。そのため、常にラック部９５ａの歯先で入力部５６b1を押圧しておくことができ、ラック部９５ａの歯先による引っ掛かり等の負荷変動を抑制し、スムースなシャッタ開閉動作を実現することができる。
【０１３１】
その結果、ディスクドライブ装置７３によるディスク記録媒体装置１０のシャッタ開閉時における負荷変動を、特殊な工夫を必要とすることなく、確実に抑えることができる。そして、ラック棒９５のラック部９５ａ歯先による入力部５６b1への引っ掛かりを防ぎ、歯先の引っ掛かりによるディスクカートリッジの破損等を防止することができる。
【０１３２】
また、前弾性片９５ｂはラック棒９５と同方向に延在されて適宜な弾性が付与されており、その先端部に初期動作用凸部９６ａが設けられている。更に、後弾性片９５ｃは、同じくラック棒９５と同方向に延在されて適宜な弾性が付与されており、その先端部にストッパ用凸部９６ｂが設けられている。初期動作用凸部９６ａ及びストッパ用凸部９６ｂはラック部９５ａの歯と同方向に突出されていて、これらは同一直線上に設定されている。
【０１３３】
更に、初期動作用凸部９６ａは、断面形状は円弧状とされているが、その大きさ及び高さはラック部９５ａの歯と略同程度に形成されている。一方、ストッパ用凸部９６ｂは、断面形状はラック部９５ａの歯と同様に山形とされているが、その大きさ及び高さはやや大きめに形成されている。そして、前後の弾性片９５ｂ，９５ｃに適度な大きさの弾性を付与することにより初期動作用凸部９６ａ及びストッパ用凸部９６ｂに対して後退動作が弾性的に行われるようにしている。図３１において、符号９５ｄは、ラック棒９５の補強を兼ねたガイド部である。このガイド部９５ｄは、ディスク記録媒体装置１０の装填ガイド溝５３に係合される。
【０１３４】
このような構成を有するラック棒９５の作用によるディスク記録媒体装置１０の中シェル１４の回動及びシャッタ機構１９の開閉動作その他の動作を、図２９及び図３０、図３２〜図４０を参照して説明する。
【０１３５】
図２９に示すように、外装ケース９３のカートリッジ出入口９４に挿入する前のディスク記録媒体装置１０の内外開口部１７，１８は、シャッタ機構１９によって完全に閉じられている。この状態から、図３０に示すように、ディスク記録媒体装置１０を外装ケース９３のカートリッジ出入口９４からディスク記録再生装置７２内に挿入することにより、外装ケース９３内に設置されているラック棒９５によってロック部材５６のロック状態が解除される。その後、ラック棒９５の作用によって一対のシャッタ部材１９ａ，１９ｂが開放され、内外開口部１７，１８が開かれて光ディスク１１の情報記録面の一部が露出される。
【０１３６】
まず、図３０及び図３２に示すように、ディスク記録媒体装置１０を外装ケース９３のカートリッジ出入口９４に所定量挿入すると、ラック棒９５の初期動作用凸部９６ａが、ディスク記録媒体装置１０の一方の側面部に設けた装填ガイド溝５３内に入り込む。これにより、ラック棒９５の初期動作用凸部９６ａが装填ガイド溝５３内に突出されているロック部材５６の入力部５６b1を、弾性アーム５６ｄのバネ力に抗してロック収納部５５内に押し込める。そのため、ロック部材５６が支持軸５８を中心に回動し、図３３及び図３４に示すようにセット位置用凹部６１ｂに係合されているロック爪５６c1が、そのセット位置用凹部６１ｂから抜け出す。その結果、中シェル１４のロックが解除され、その回動が自由となる。
【０１３７】
この場合、初期動作用凸部９６ａによって開口穴５７内に押し込められた入力部５６b1は、弾性アーム５６ｄのバネ力によって一旦装填ガイド溝５３内に突出されるが、初期動作用凸部９６ａに続くラック部９５ａの歯によって再び開口穴５７内に押し込められる。この入力部５６b1の押し込め状態は、ラック部９５ａが入力部５６b1に対向される間持続される。この際、入力部５６b1の長さｗがラック部９５ａの隣り合う歯先間距離ｘ（＝πｍ／２＋２・ｍ・ｔａｎ２０°）よりも大きいため、常に入力部５６b1に対してラック部９５ａの歯先を作用させておくことができる。その結果、ラック部９５ａの歯先が入力部５６b1に当接することによる打音の発生や引っ掛かりによる負荷変動を防止又は抑制し、スムースなシャッタ開閉動作を実現することができる。
【０１３８】
次に、図３５に示すように、カートリッジ挿入方向Ｆにディスク記録媒体装置１０を挿入し、ラック棒９５に対してディスク記録媒体装置１０が相対的に前進することにより、初期動作用凸部９６ａが中シェル１４の被操作部６０の前滑り部６０ｂに当接し、この前滑り部６０ｂに乗り上げる。このとき、前弾性片９５ｂが適当な強さの弾性を有するため、前弾性片９５ｂの撓みによって初期動作用凸部９６ａが後方に撓み移動し、前滑り部６０ｂに乗り上げる。その結果、初期動作用凸部９６ａが被操作部６０の初期動作用凹部６１ａ内に入り込む。
【０１３９】
この凸部９６ａが凹部６１ａに係合することにより、ラック棒９５からの反力によって中シェル１４が、同図において反時計方向に回動される。その結果、ラック棒９５との間の相対的な移動量に応じて中シェル１４が所定角度回転することにより、凸部９６ａが凹部６１ａから離れる前にラック部９５ａが被操作部６０のギア部６０ａに噛み合う。これにより、動力伝達経路が強固になり、ラック棒９５の移動力が確実に伝達され、中シェル１４が所定角度回転する。このとき、ロック部材５６のロック爪５６c1は、図３６に示すように、斜面部６０ｅを高い方へ移動する。
【０１４０】
次に、図３７に示すように、直線的に前進するラック部９５ａと曲線的に前進するギア部６０ａとの噛み合いが解除される前に、ストッパ用凸部９６ｂが被操作部６０の後滑り部６０ｃ側に設けたセット位置用凹部６１ｂに係合される。このとき、ロック部材５６のロック爪５６c1は、図３８に示すように、斜面部６０ｆを通過して第１のランド部６０ｄの上に乗り上げる。
【０１４１】
その後、図３９に示すように、ストッパ用凸部９６ｂがセット位置用凹部６１ｂにしっかりと噛み合ったところで、ラック部９５ａとギア部６０ａとの噛み合いが解除される。これにより、ディスク記録媒体装置１０の挿入動作が終了し、ディスク記録媒体装置１０がディスクドライブ装置７３の所定位置であるカートリッジ装着部にセットされる。
【０１４２】
このとき、ロック部材５６のロック爪５６c1は、図４０に示すように、第１のランド部６０ｄの頂面を摺動してギア部６０ａから遠い側に落ち込み、第１エンドストッパ６３ｂに係合される。これと同時に、前滑り部６０ｂのエンドストッパ６３ａが、下シェル１５の位置決め部４０ｂに内側から当接する。この位置決め部４０ｂとロック爪５６c1によって中シェル１４の被操作部６０が両側から挟み込まれ、ロック爪５６c1の係合により中シェル１４がロックされて回転が阻止される。これにより、一対のシャッタ部材１９ａ，１９ｂの開放動作が完了し、内外の開口部１７，１８が完全に開かれる。
【０１４３】
その後、ラック棒９５によってカートリッジ筐体１２に加えられていた押圧力を解放する。この押圧力を解放する意義は、例えば、中シェル１４等に押圧力が加えられた状態のままのときには、その押圧力によって中シェル１４等に撓みが生じてしまい、ラック棒９５を介してディスクドライブ装置７３側に発生した振動や衝撃力がカートリッジ筐体１２に伝達されてくるおそれがあるため、このおそれを無くすためである。具体的には、一対のシャッタ部材１９ａ，１９ｂの開放動作が完了した後、ラック棒９５をカートリッジ筐体１２から離れる方向に退避させ、そのラック棒９５がカートリッジ筐体１２（特に、中シェル１４等）に付与している荷重を解除することによって行う。
【０１４４】
このとき、ディスク記録媒体装置１０のカートリッジ筐体１２は、上シェル１３の一対の基準穴４８，４８と下シェル１５の一対の基準突起４７，４７とによって精度良く位置決めされており、これらの基準突起４７等と略同軸をなすように一対の位置決め穴５０ａ，５０ｂが下シェル１５に設けられている。そのため、ディスク記録媒体装置１０をディスクドライブ装置７３のディスク装着部に装着することにより、ディスクドライブ装置７３に対する下シェル１５の位置決め精度がそのまま上シェル１３の位置決め精度となるため、上シェル１３の位置決め精度を高くすることができる。
【０１４５】
また、ディスク記録媒体装置１０のセット状態では、ストッパ用凸部９６ｂがセット位置用凹部６１ｂにしっかりと噛み合っているため、中シェル１４が回動するおそれがない。このとき、中シェル１４が回動を開始する初期状態では、図２３Ｃ及び図２５に示すように、中シェル１４のリング部１４ｂの端面に設けた複数のカム突起６４が上シェル１３のカム溝２２に設けたカム部２２ａに乗り上げる。
【０１４６】
そのため、中シェル１４の平面部１４ａが下シェル１５側に移動し、その平面部１４ａと下シェル１５との間で一対のシャッタ部材１９ａ，１９ｂが挟持された状態となる。これにより、中シェル１４と下シェル１５との間に摩擦力が発生し、中シェル１４を回転操作するために必要とされる力が大きくなる。このカム部２２ａの乗り上げによる摩擦力に抗して中シェル１４を回転させることにより、図２３Ｂに示すように、カム突起６４がカム部２２ａを通過する。その結果、カム突起６４の摺動による摩擦力が消滅するため、これ以後の中シェル１４の回転動作は、極めて軽く且つスムースに行うことができようになる。
【０１４７】
また、一対のシャッタ部材１９ａ，１９ｂが、中シェル１４の回動によって支持軸１４ｄを中心にそれぞれ回動される。これと同時に、各シャッタ部材１９ａ，１９ｂに設けた開閉溝６８には下シェル１５の操作凸部３９ａ，３９ｂがそれぞれ摺動可能に係合されている。そのため、中シェル１４が回動すると、一対の操作凸部３９ａ，３９ｂに対して各開閉溝６８が相対的に回動される。その結果、中シェル１４の回動量に応じて一対のシャッタ部材１９ａ，１９ｂが、互いに近づく方向である内側（中シェル１４の中心側）に移動する。
【０１４８】
これにより、一対のシャッタ部材１９ａ，１９ｂが、図３２の状態から、図３５及び図３７の状態を経て図３９に示す状態へと変化し、内外開口部１７，１８を開いて左右に対向する位置に移動する。これにより、中シェル１４の内側開口部１８と下シェル１５の外側開口部１７とが完全に開放される。そのため、ディスク収納室１６内に収納されている光ディスク１１の一部が両開口部１７，１８から露出される（図１９を参照）。
【０１４９】
その結果、開口部１７，１８が図１８から図１９の状態に変化し、内外側開口部１７，１８に対するターンテーブル８１及び対物レンズ７９ａを有する光学ヘッドの挿入が可能となる。そこで、ターンテーブル８１等をディスク記録媒体装置１０側へ移動するか又はディスク記録媒体装置１０をターンテーブル８１側へ移動することにより、図２１から図２２の状態に変化して、ターンテーブル８１がカートリッジ筐体１２中央部のテーブル用開口部１７ａ，１８ａ内に入り込み、光学ヘッドがヘッド用開口部１７ｂ，１８ｂ内に入り込み、光学ヘッドがヘッド用開口部１７ｂ，１８ｂ内に入り込む。
【０１５０】
これにより、ターンテーブル８１の嵌合部８１ａが光ディスク１１のセンタ穴１１ａに嵌合され、センタ穴１１ａの周縁部が載置部８１ｂに載置される。これと同時に、嵌合部８１ａに内蔵されているマグネット９７の磁力が上シェル１３のリングホルダ３４に保持されているチャックリング３３の磁力受け部である位置規制部３３ｄに作用し、その磁力によってチャックリング３３が吸引される。その結果、マグネット９７の磁力によってチャックリング３３の挟持部３３ｂが光ディスク１１のセンタ穴１１ａの周縁部に押しつけられ、その周縁部が挟持部３３ｂとターンテーブル８１の載置部８１ａとで挟持される。
【０１５１】
これにより、チャックリング３３によって光ディスク１１がターンテーブル８１にチャッキングされ、光ディスク１１がターンテーブル８１と回転方向に一体化される。このとき、ターンテーブル８１の載置部８１ａの先端部がチャックリング３３の位置規制部３３ｄの凹陥部３３ｆに嵌まり込むことによってターンテーブル８１に対するチャックリング３３の位置合わせが同時に行われ、チャックリング３３がターンテーブル８１の略中央部に位置決めされる。
【０１５２】
その結果、チャックリング３３が上シェル１３から浮き上がった状態となり、チャックリング３３のテーパ部３３ｃの内面と上シェル１３の第２の環状凸部９８ｂの外側斜面との間、及びテーパ部３３ｃの外面とリングホルダ３４の内フランジ３４ａの内周縁との間、並びにチャックリング３３の位置規制部３３ｄの面と上シェル１３の第１の環状凸部９８ａの内側斜面との間にはそれぞれ所定の隙間が保持され、これらが互いに擦れ合うことがない。
【０１５３】
これと共に、光学ピックアップ装置７９の光学ヘッドが開口部１７，１８内に入り込み、その対物レンズ７９ａが所定の間隔を保持して光ディスク１１の情報記録面に対面される。これにより、ディスクドライブ装置７３による光ディスク１１の情報記録面に対する情報信号の再生又は記録の動作が可能となる。
【０１５４】
そこで、テーブル駆動装置本体７８を動作させ、スピンドルモータ７５の駆動によりターンテーブル８１を介して光ディスク１１を回転させると共に、光学ピックアップ装置７９を駆動させ、光学ヘッドの対物レンズ７９ａから光ディスク１１の情報記録面に向けてレーザ光を照射する。これにより、光ディスク１１の情報記録面に予め記録されている情報信号を読み出し、又はその情報記録面に対して新たな情報信号を書き込むことができる。このようにして、ディスク記録再生装置７２による情報信号の再生又は記録が実行される。
【０１５５】
次に、ディスク記録媒体装置１０を外装ケース９３から排出する場合について説明する。情報信号の再生又は記録の後、例えば、外装ケース９３に設けられるカートリッジ排出ボタン（図示せず）を操作することにより、ローディング機構の作動を介してディスク記録媒体装置１０がディスクドライブ装置７３から離脱され、外装ケース９３から排出される。
【０１５６】
例えば、ディスク装着部にディスク記録媒体装置１０を固定した状態において、スピンドルモータ７５を後退動作させ、ターンテーブル８１をディスク記録媒体装置１０の開口部１７，１８から引き出す。このとき、スピンドルモータ７５を後退動作させると、当初はターンテーブル８１と光ディスク１１とチャックリング３３が一体的に移動し、少々移動したところで、チャックリング３３のテーパ部３３ｃが上シェル１３に固定されているリングホルダ３４の内フランジ３４ａの内周縁に当接する。
【０１５７】
さらにスピンドルモータ７５を後退動作させ、その移動力がマグネット９７の吸引力より大きくなることにより、リングホルダ３４の抵抗力によってチャックリング３３が引き剥がされる。その結果、チャックリング３３がリングホルダ３４によって上シェル１３に保持される。次に、光ディスク１１のセンタ穴１１ａの周縁部が中シェル１４の支持縁部１４ｃに当接され、スピンドルモータ７５の更なる後退動作によってターンテーブル８１の嵌合部８１ａが光ディスク１１のセンタ穴１１ａから抜き出す。その結果、光ディスク１１がカートリッジ筐体１２のディスク収納室１６内に保持される。そして、開口部１７，１８からターンテーブル８１が完全に抜け出すまで、スピンドルモータ７５の後退動作が続けられる。
【０１５８】
その後、ローディング機構の排出動作によってディスク記録媒体装置１０が排出方向に移動すると、相対的にラック棒９５が後退動作される。このラック棒９５に対するディスク記録媒体装置１０の後退動作により、セット位置用凹部６１ｂに係合されているストッパ用凸部９６ｂによって中シェル１４が回動される。そして、凸部９６ｂが凹部６１ｂから離れる前にラック部９５ａがギア部６０ａに噛合し、この噛み合いによって中シェル１４が引き続き回動される。
【０１５９】
このとき、凸部９６ｂの先端がカートリッジ筐体１２の開口窓５２内に入り込んでいるため、その凸部９６ｂが開口窓５２の縁に当接するが、その凸部９６ｂと一体の後弾性片９５ｃが適度な強さの弾性を有するため、この後弾性片９５ｃの撓み変形によって凸部９６ｂが外側へ弾性変位し、開口窓５２の縁を乗り越える。そのため、凸部９６ｂの高さがラック部９５ａの歯の高さより高いにも係わらず、凹部６１ｂから離れた凸部９６ｂが開口窓５２から容易に抜け出すことができ、従って、その後の中シェル１４の回動を確保することができる。
【０１６０】
この中シェル１４の回動により、開口窓５２内においてラック部９５ａがギア部６０ａから離れる前に初期動作用凸部９６ａが初期動作用凹部６１ａに係合される。この凸部９６ａと凹部６１ａとの係合によって中シェル１４の回動が継続され、中シェル１４が最初の位置まで回動される。これにより、被操作部６０の後滑り部６０ｃの第２エンドストッパ６３ｃが下シェル１５の位置決め部４０ｂに当接されるため、以後の中シェル１４の回動が阻止される。
【０１６１】
これに対して、ディスク記録媒体装置１０とラック棒９５との間には相対移動が引き続き生じているため、凹部６１ａに係合されている凸部９６ａの移動力によって中シェル１４には回転力が付与される。この回転力の反力が凸部９６ａに付与され、この反力を受けて前弾性片９５ｂが撓み変形し、凸部９６ａが外側へ移動して凹部６１ａとの係合が解除される。
【０１６２】
その後、ラック棒９５の初期動作用凸部９６ａが開口穴５２を通過することにより、ロック部材５６の入力部５６b1が開口穴５７から装填ガイド溝５３内に突出される。これと同時に、ロック部材５６のロック爪５６c1が内側に移動して中シェル１４の被操作部６０のセット位置用凹部６１ｂに噛み合わされる。その結果、ロック部材５６によって中シェル１４がロックされ、その回動が停止される。
【０１６３】
この際、一対のシャッタ部材１９ａ，１９ｂは、上述した挿入時とは逆の動作を実行し、内外側開口部１７，１８を完全に閉じる。また、中シェル１４のカム突起６４はカム溝２２内にあるため、中シェル１４を軽い力で回転させることができる。更に、カム突起６４がカム部２２ａに当接して乗り上げることにより、これ以後、中シェル１４の回動には上述した摩擦力が加えられる。そして、シャッタ機構１９が閉じる直前において、操作凸部３９ｂ（又は３９ａ）が開閉溝６８を最外側部まで移動し、弾性片６９ａに接触してこれを押圧する。これにより、操作凸部３９ｂ（又は３９ａ）の押圧力によって弾性片６９ａにバネ力が発生する。
【０１６４】
この弾性片６９ａのバネ力によって中央の段部６６には、他方のシャッタ部材１９ａ（又は１９ｂ）に作用する圧接力が発生する。この圧接力は、一対のシャッタ部材１９ａ，１９ｂの両者に発生するため、互いの圧接力によって一対のシャッタ部材１９ａ，１９ｂの密閉性が更に高められる。従って、一対のシャッタ部材１９ａ，１９ｂの接合部における防塵性を向上させることができ、その結果、チリやホコリ等がディスク収納室１６内に侵入するのをより効果的に防止することができる。
【０１６５】
このようにして、一対のシャッタ部材１９ａ，１９ｂによって開口部１７，１８の全体が完全に閉じられ（図３２等を参照）、その閉じ状態でディスク記録媒体装置１０が外装ケース９３のカートリッジ出入口９４からケース外に排出される。これにより、ディスク記録媒体装置１０の排出動作が完了する。
【０１６６】
このようなディスク記録媒体装置１０において、上シェル１３、中シェル１４、下シェル１５及びシャッタ部材１９ａ，１９ｂ間の厚み方向の寸法は、図２４及び図２５並びに▲１▼式に示すような関係となるように設定することが好ましい。図２４に示す符号Ａ〜Ｋ及び図２５に示す符号Σの意味は、次の通りである。
【０１６７】
(1) Ａ：上シェル１３の上前面縁１３ａ等の端面からカム溝２２の面までの高さ
Ａ＝２．９ｍｍ  ＋０．１／０ｍｍ
(2) Ｂ：上シェル１３の上前面縁１３ａ等の端面から上面までの高さ
Ｂ＝３．８５ｍｍ  ±０．０５ｍｍ（参考寸法）
(3) Ｃ：下シェル１５の下前面縁１５ａ等の端面から下面までの高さ
Ｃ＝４．１５ｍｍ  ＋０．１／−０ｍｍ（参考寸法）
(4) Ｄ：下シェル１５の下前面縁１５ａ等の端面から底面までの高さ
Ｄ＝３．３ｍｍ  ±０．０５ｍｍ
(5) Ｅ：シャッタ部材１９ａ，１９ｂの厚み
Ｅ＝１．１ｍｍ  ＋０／−０．０５ｍｍ
【０１６８】
(6) Ｆ：中シェル１４の下面から端面までの高さ
Ｆ＝４．７ｍｍ  ＋０／−０．１ｍｍ
(7) Ｇ：中シェル１４のカム突起６４の高さ
Ｇ＝０．２ｍｍ  ＋０／−０．０５ｍｍ
(8) Ｈ：上シェル１３のカム部２２ａの高さ
Ｈ＝０．２ｍｍ  ＋０／−０．０５ｍｍ
(9) Ｊ：下シェル１５のリブ３７の高さ
Ｊ＝０．２ｍｍ  ＋０／−０．０５ｍｍ（参考寸法）
(10)Ｋ：シャッタ部材１９ａ，１９ｂのリブ逃げ溝７０の深さ
Ｋ＝０．２ｍｍ  ＋０．０５／−０ｍｍ（参考寸法）
【０１６９】
(11)Σ：組立時におけるカム部２２ａとカム突起６４との間の理想的なクリアランス
Σ＝−Ｈ＋Ａ＋Ｄ−Ｅ−Ｆ−Ｇ  ……▲１▼
＝０ｍｍ  ＋０．４５／−０ｍｍ（累積公差）
０．０６４ｍｍ  ＋０．３２２／−０ｍｍ（自乗平均×１．６６）
【０１７０】
この計算式▲１▼から明らかなように、理想的なクリアランスΣは、０ｍｍ〜０．４５ｍｍとすることが好ましく、最も好ましい値は０．２ｍｍ位である。
本実施例では、シャッタ開閉動作を行うために回動する中シェル１４は、上シェル１３と下シェル１５の間で０．４ｍｍ程度（公差のセンター値）のクリアランスの中で動作し、保存時には０．２ｍｍ程度にクリアランスが狭められる。このように、中シェル１４を上シェル１３に圧着させることなく、０ｍｍ〜０．４５ｍｍ（最適値は０．２ｍｍ位）のクリアランスを設定することにより、ゴミの侵入経路を可能な限り狭めて、ディスク収納室１６内にゴミが入り込むのを効果的に防止することができる。
【０１７１】
また、本実施例においては、下シェル１５の外側開口部１７の周縁部にリブ３７（円弧状リブ部３７ａと直線状リブ部３７ｂ）を設けると共に、シャッタ閉じ状態においてリブ３７と対応する一対のシャッタ部材１９ａ，１９ｂの対応する部分にリブ逃げ溝７０を設け、リブ３７とリブ逃げ溝７０で防塵用隙間７１を構成するようにしたため、開口部１７，１８がシャッタ部材１９ａ，１９ｂで完全に閉じられたディスク記録媒体装置１０の保存時における防塵性能を高めることができ、ディスク収納室１６内にゴミが入り込むのを効果的に防止することができる。
【０１７２】
尚、カートリッジ筐体は、中シェルを廃止して上下シェルの組み合わせによって構成することができる。そして、従来例として示す図４１のように、直線的に移動して開口部を開閉するシャッタ部材を設ける構成としても良い。かかる構成のカートリッジ筐体に対して、上述した実施例のチャックリング３３及びリングホルダ３４を設けることによっても、上述した実施例と同様の効果を得ることができる。更に、開口部は、上シェル又は下シェルの一方にのみ設ける構成としてもよく、かかる場合にチャックリングは、開口部の無いシェルに設けるようにする。
【０１７３】
以上説明したが、本発明は上述した実施の例に限定されるものではなく、例えば、上記実施例においては、情報記録媒体として光ディスクを用いた例について説明したが、光磁気ディスク、フレキシブルディスク等の磁気ディスク、その他各種のディスク状記録媒体に適用することができる。更に、上記実施例では、ディスク記録再生装置として記録及び再生の両者が可能であるディスク記録再生装置に適用した例について説明したが、記録又は再生の一方のみが可能なディスク記録装置又はディスク再生装置に適用できることは勿論である。
【０１７４】
また、上記実施例においては、カートリッジ筐体１２の下シェル１５及び中シェル１４に開口部１７，１８を設けた例について説明したが、例えば、上シェル１３にも開口部を設け、カートリッジ筐体１２の上下から同時にアクセスできる構造とすることもできる。この場合、上述した凸条及び凹溝は、中シェルとシャッタ部材とに設定することができる。更に、中シェルと下シェルとでディスク収納室を形成し、このディスク収納室内にディスク状記録媒体を収納すると共に上シェルに開口部を設ける構成とすることもできる。この場合、上述したチャックリング３３は、下シェルに設けるようにする。
【０１７５】
更に又、上述した実施例では、シャッタ開閉にあたっては、シャッタ開閉手段を固定してディスク記録媒体装置を移動させることにより開口部を開閉させる例について述べたが、これに限定されるものではなく、シャッタ開閉手段とディスクカートリッジを相対的に移動させてシャッタ部材を開閉動作させる構成であれば良い。例えば、ディスク記録媒体装置をディスク装着部に固定した後、シャッタ開閉手段をモータ等で移動させて開閉動作させるようにしても良い。このように、本発明は、その趣旨を逸脱しない範囲で種々変更できるものである。
【０１７６】
【発明の効果】
以上説明したように、本出願のディスクカートリッジによれば、ディスク収納室を有するカートリッジ筐体（上シェルと中シェルと下シェルとの組み合わせ）と、開位置と閉位置との間を移動して開口部を開閉するシャッタ部材と、シャッタ部材を閉位置において中シェルをロックすることにより閉じた状態に保持するシャッタ固定手段とを備え、シャッタ固定手段で開位置においてもシャッタ部材を開いた状態に保持する構成とした。そのため、外部装置の開放保持機構によってシャッタ部材を開いた状態に保持する必要がないから、外部装置で発生した振動が開放保持機構を介してディスクカートリッジ等に伝達されてくるおそれがなく、振動による書込み時及び読出し時の誤動作を防止又は抑制することができる。また、外部装置に衝撃力が加えられたような場合においても、開放保持機構が外れてシャッタ部材が自動的に閉じた状態に移動することがないため、シャッタ部材が光学ピックアップ装置の光学ヘッドやターンテーブルに当接するおそれがなくなり、従って、光学ヘッドやシャッタ部材を破損させたりするおそれのないディスクカートリッジを提供できるという効果が得られる。
【０１７７】
本出願のディスク記録媒体装置によれば、ディスク収納室を有するカートリッジ筐体（上シェルと中シェルと下シェルとの組み合わせ）と、ディスク状記録媒体と、開位置と閉位置との間を移動して開口部を開閉するシャッタ部材と、シャッタ部材を閉位置において中シェルをロックすることにより閉じた状態に保持するシャッタ固定手段とを備え、シャッタ固定手段で開位置においてもシャッタ部材を開いた状態に保持する構成とした。そのため、外部装置の開放保持機構によってシャッタ部材を開いた状態に保持する必要がないから、外部装置で発生した振動が開放保持機構を介してディスクカートリッジ等に伝達されてくるおそれがなく、振動による書込み時及び読出し時の誤動作を防止又は抑制することができる。また、外部装置に衝撃力が加えられたような場合においても、開放保持機構が外れてシャッタ部材が自動的に閉じた状態に移動することがないため、シャッタ部材が光学ピックアップ装置の光学ヘッドやターンテーブルに当接するおそれがなくなり、従って、光学ヘッドやシャッタ部材を破損させたりするおそれのないディスク記録媒体装置を提供できるという効果が得られる。
【０１７８】
また、本出願のディスク記録再生装置によれば、ディスク状記録媒体が回転自在に収納されたディスク収納室を有するカートリッジ筐体（上シェルと中シェルと下シェルとの組み合わせ）と、そのカートリッジ筐体に設けた開口部を開閉可能なシャッタ部材と、そのシャッタ部材を開口部を閉じた状態に保持可能なシャッタ固定手段と、を設けたディスク記録媒体装置と、そのディスク記録媒体装置の挿脱動作に応じてシャッタ部材を移動させて開口部を開閉させるシャッタ開閉手段と、ディスク記録媒体装置が着脱可能に装着されると共に、そのディスク記録媒体装置の装着時、シャッタ開閉手段で開放された開口部から挿入されてディスク状記録媒体をチャッキングして回転駆動するディスクドライブ装置と、を備え、シャッタ固定手段により、閉位置において中シェルをロックすることによりシャッタ部材を閉じた状態に保持すると共に、開位置において中シェルをロックすることによりシャッタ部材を開いた状態に保持する構成とした。そのため、外部装置の開放保持機構によってシャッタ部材を開いた状態に保持する必要がないから、外部装置で発生した振動が開放保持機構を介してディスクカートリッジ等に伝達されてくるおそれがなく、振動による書込み時及び読出し時の誤動作を防止又は抑制することができる。また、外部装置に衝撃力が加えられたような場合においても、開放保持機構が外れてシャッタ部材が自動的に閉じた状態に移動することがないため、シャッタ部材が光学ピックアップ装置の光学ヘッドやターンテーブルに当接するおそれがなくなり、従って、光学ヘッドやシャッタ部材を破損させたりするおそれのないディスク記録媒体装置を用いて情報信号の記録及び再生を実行することができる。そのため、正常な情報の読み書きを安全に実行できるディスク記録再生装置を提供することができるという効果が得られる。
【図面の簡単な説明】
【図１】本発明のディスク記録媒体装置の一実施例を示すもので、分解して上面側から見た分解斜視図である。
【図２】本発明のディスク記録媒体装置の一実施例を示すもので、分解して下面側から見た分解斜視図である。
【図３】本発明のディスク記録媒体装置に係るディスクカートリッジの上シェルを上面側から見た斜視図である。
【図４】本発明のディスク記録媒体装置に係るディスクカートリッジの上シェルの平面図である。
【図５】本発明のディスク記録媒体装置に係るディスクカートリッジの上シェルに取り付けられるチャックリング及びリングホルダを上面側から見た斜視図である。
【図６】本発明のディスク記録媒体装置に係るディスクカートリッジの上シェルに取り付けられるチャックリング及びリングホルダの中央部を断面して下面側から見た斜視図である。
【図７】本発明のディスク記録媒体装置に係るディスクカートリッジの中シェルを上面側から見た斜視図である。
【図８】本発明のディスク記録媒体装置に係るディスクカートリッジの中シェルの平面図である。
【図９】本発明のディスク記録媒体装置に係るディスクカートリッジの一対のシャッタ部材を上面側から見た斜視図である。
【図１０】本発明のディスク記録媒体装置に係るディスクカートリッジの一対のシャッタ部材の組み合わせ状態を上面側から見た斜視図である。
【図１１】本発明のディスク記録媒体装置に係るディスクカートリッジのロック部材を上面側から見た斜視図である。
【図１２】本発明のディスク記録媒体装置に係るディスクカートリッジのロック部材を下面側から見た斜視図である。
【図１３】本発明のディスク記録媒体装置に係るディスクカートリッジの誤消去防止具を上面側から見た斜視図である。
【図１４】本発明のディスク記録媒体装置に係るディスクカートリッジの下シェルを上面側から見た斜視図である。
【図１５】本発明のディスク記録媒体装置に係るディスクカートリッジの下シェルの平面図である。
【図１６】図１に示すディスク記録媒体装置の中シェルに一対のシャッタ部材を取り付けて内側開口部を閉じた状態を示す斜視図である。
【図１７】図１に示すディスク記録媒体装置の外観構成を示す斜視図である。
【図１８】図１５に示すディスク記録媒体装置を下面側から見たもので、シャッタ機構を閉じて開口部を閉じた状態を示す斜視図である。
【図１９】図１５に示すディスク記録媒体装置を下面側から見たもので、シャッタ機構を開いて開口部を開いた状態を示す斜視図である。
【図２０】図１７に示すディスク記録媒体装置の一対の位置決め穴を結んだ線に沿って断面した説明図である。
【図２１】本発明のディスク記録媒体装置のチャッキングを説明するもので、ターンテーブルに光ディスクが装着される前の状態を断面して示す説明図である。
【図２２】本発明のディスク記録媒体装置のチャッキングを説明するもので、ターンテーブルに光ディスクが装着された状態を断面して示す説明図である。
【図２３】本発明のディスク記録媒体装置の開口部開閉時における上シェルに対する中シェルの昇降動作を説明するもので、同図Ａは分解斜視図、同図Ｂはダウン時の斜視図、同図Ｃはアップ時の斜視図である。
【図２４】本発明のディスクカートリッジの上シェルのカム部及び中シェルのカム突起間のクリアランス計算を説明するもので、上、中、下シェル及びシャッタ部材の寸法を符号で示した説明図である。
【図２５】本発明のディスクカートリッジの上シェルのカム部及び中シェルのカム突起間のクリアランス計算を説明するもので、そのクリアランスを符号で示した説明図である。
【図２６】本発明に係るディスクドライブ装置の一実施例を示す斜視図である。
【図２７】本発明に係るディスクドライブ装置の送りねじ駆動装置を示すもので、動力伝達部材等の一部を断面した斜視図である。
【図２８】本発明のディスク記録再生装置の回路構成の一実施例を示すブロック説明図である。
【図２９】本発明のディスク記録再生装置に本発明のディスク記録媒体装置を挿入する前の状態を示す斜視図である。
【図３０】本発明のディスク記録再生装置に本発明のディスク記録媒体装置を挿入している状態を示す斜視図である。
【図３１】本発明のディスク記録媒体装置のシャッタ機構を開閉するシャッタ開閉手段の一実施例を示す斜視図である。
【図３２】本発明のディスク記録媒体装置のシャッタ機構の開閉状態を説明するもので、一対のシャッタ部材が下シェルの開口部及び中シェルの開口部を完全に閉じて、ラック棒の初期動作用凸部が下シェルの開口窓に至るまでの状態を示す説明図である。
【図３３】図３２の要部を拡大して示す平面図である。
【図３４】図３２の要部を拡大して示す斜視図である。
【図３５】本発明のディスク記録媒体装置の下シェルを取り除いてシャッタ機構の開閉状態を説明するもので、ラック棒の初期動作用凸部が中シェルの初期動作用凹部に係合して中シェルが回り初め、一対のシャッタ部材が少々開いた状態（略５°）を示す説明図である。
【図３６】図３５において上シェルを取り除き中シェルと下シェルとロック部材等との関係を説明する要部を拡大した平面図である。
【図３７】本発明のディスク記録媒体装置の下シェルを取り除いてシャッタ機構の開閉状態を説明するもので、ラック棒のラック部が中シェルのギア部に噛合し、一対のシャッタ部材が大きく開いた状態（略３０°）を示す説明図である。
【図３８】図３７において上シェルを取り除き中シェルと下シェルとロック部材等との関係を説明する要部を拡大した平面図である。
【図３９】本発明のディスク記録媒体装置の下シェルを取り除いてシャッタ機構の開閉状態を説明するもので、ラック棒のストッパ用凸部が中シェルのセット位置用凹部に係合し、一対のシャッタ部材が開口部を完全に開いた状態（略５５°）を示す説明図である。
【図４０】図３９において上シェルを取り除き中シェルと下シェルとロック部材等との関係を説明する要部を拡大した平面図である。
【図４１】図３１に示すラック棒のラック部の歯形を説明する要部説明図である。
【図４２】従来のディスクカートリッジを示す斜視図である。
【符号の説明】
１０  ディスク記録媒体装置、  １１  光ディスク（ディスク状記録媒体）、１２  カートリッジ筐体、  １３  上シェル、  １４  中シェル、  １５  下シェル、  １６  ディスク収納室、  １７  外側開口部、  １８  内側開口部、１９ａ，１９ｂ  シャッタ部材、  ２２  カム溝、  ２２ａ  カム部、  ３３チャックリング、  ３４  リングホルダ、  ３７  リブ（凸条）、  ３９ａ，３９ｂ  操作凸部、  ５２  開口窓、  ５３  装填ガイド溝、  ５６  ロック部材、  ５６ｂ  操作アーム、  ５６b1  入力部、  ５６ｃ  ロックアーム、  ５６c1  ロック爪、  ５６ｄ  弾性アーム、  ６０  被操作部、  ６０ａ  ギア部、  ６１ａ  初期動作用凹部、  ６１ｂ  セット位置用凹部（第２の係合部）、６３ｂ  第１エンドストッパ（第１の係合部）、  ６４  カム突起、  ７０  リブ逃げ溝（凹溝）、  ７１  防塵用隙間、  ７２  ディスク記録再生装置、  ７３  ディスクドライブ装置、  ７４  シャーシ、  ７５  スピンドルモータ、７８  テーブル駆動装置、  ７９  光学ピックアップ装置（ピックアップ装置）、  ８１  ターンテーブル、  ８４  送りねじ駆動装置、  ８５  送りねじ、９０  送りナット、  ９２  記録再生装置本体、  ９３  外装ケース、  ９４カートリッジ出入口、  ９５  ラック棒（シャッタ開閉手段）、  ９５ａ  ラック部、  ９６ａ  初期動作用凸部、  ９６ｂ  ストッパ用凸部、  ９７  マグネット
【図１】
0003991642.tif 000004
【図２】
0003991642.tif 000005
【図３】
0003991642.tif 000006
【図４】
0003991642.tif 000007
【図５】
0003991642.tif 000008
【図６】
0003991642.tif 000009
【図７】
0003991642.tif 000010
【図８】
0003991642.tif 000011
【図９】
0003991642.tif 000012
【図１０】
0003991642.tif 000013
【図１１】
0003991642.tif 000014
【図１２】
0003991642.tif 000015
【図１３】
0003991642.tif 000016
【図１４】
0003991642.tif 000017
【図１５】
0003991642.tif 000018
【図１６】
0003991642.tif 000019
【図１７】
0003991642.tif 000020
【図１８】
0003991642.tif 000021
【図１９】
0003991642.tif 000022
【図２０】
0003991642.tif 000023
【図２１】
0003991642.tif 000024
【図２２】
0003991642.tif 000025
【図２３】
0003991642.tif 000026
【図２４】
0003991642.tif 000027
【図２５】
0003991642.tif 000028
【図２６】
0003991642.tif 000029
【図２７】
0003991642.tif 000030
【図２８】
0003991642.tif 000031
【図２９】
0003991642.tif 000032
【図３０】
0003991642.tif 000033
【図３１】
0003991642.tif 000034
【図３２】
0003991642.tif 000035
【図３３】
0003991642.tif 000036
【図３４】
0003991642.tif 000037
【図３５】
0003991642.tif 000038
【図３６】
0003991642.tif 000039
【図３７】
0003991642.tif 000040
【図３８】
0003991642.tif 000041
【図３９】
0003991642.tif 000042
【図４０】
0003991642.tif 000043
【図４１】
0003991642.tif 000044
【図４２】
0003991642.tif 000045